(57)【要約】【課題】  駐車場において発生する予期せぬ時間超過により、遊技台の予約によりもたらされる権利を消失させないようにする。【解決手段】  予約管理サーバ１が、予約が申し込まれた遊技台の予約を受け付け、予約が受け付けられた遊技台の動作モードを、所定の期間だけ前記遊技台の予約を申し込んだ遊技者以外の遊技者に対して遊技不能状態とする予約モードに設定し、駐車場管理サーバ９は、遊技台の予約を申し込んだ遊技者の車両が、駐車場に進入したことを検出し、遊技者の車両の侵入が検出された場合、駐車場の状態に応じて、遊技台の予約モードに設定される所定の時間に対する延長時間を計算し、予約管理サーバ１が計算された延長時間だけ、所定の時間を延長させる。本発明は、遊技店の予約管理システムに適用することができる。【選択図】  図１
2006280467.tif 000002
【特許請求の範囲】
【請求項１】
遊技者により予約が申し込まれた遊技店の遊技台の予約を受け付ける第１の情報処理装置、および前記遊技店の駐車場を管理する第２の情報処理装置から構成される遊技台予約管理システムにおいて、
予約が申し込まれた遊技台の予約を受け付ける予約受付手段と、
前記予約受付手段により予約が受け付けられた遊技台の動作モードを、所定の期間だけ前記遊技台の予約を申し込んだ遊技者以外の遊技者に対して遊技不能状態とする予約モードに設定する設定手段と、
前記遊技台の予約を申し込んだ遊技者の車両が、前記駐車場に進入したことを検出する検出手段と、
前記検出手段により前記遊技者の車両の侵入が検出された場合、前記駐車場の状態に応じて、前記遊技台の予約モードに設定される所定の時間に対する延長時間を計算する計算手段と、
前記計算手段により計算された延長時間だけ、前記所定の時間を延長させる延長手段と
を備えることを特徴とする遊技台予約管理システム。
【請求項２】
前記遊技者により予約が申し込まれた前記遊技店の遊技台の予約を受け付ける第１の情報処理装置は、予約管理サーバであり、前記遊技店の駐車場を管理する前記第２の情報処理装置は、駐車場管理サーバである
ことを特徴とする請求項１に記載の遊技台予約管理システム。
【請求項３】
前記予約管理サーバは、
前記予約が申し込まれた遊技台の予約を受け付ける予約受付手段と、
前記予約受付手段により予約が受け付けられた遊技台の動作モードを、所定の期間だけ前記遊技台の予約を申し込んだ遊技者以外の遊技者に対して遊技不能状態とする予約モードに設定する設定手段と、
前記計算手段により計算された延長時間だけ、前記所定の時間を延長させる延長手段と
を備え、
前記駐車場管理サーバは、
前記遊技台の予約を申し込んだ遊技者の車両が、前記駐車場に進入したことを検出する検出手段と、
前記検出手段により前記遊技者の車両が検出された場合、駐車場の状態に基づいて、前記遊技台の予約モードに設定される所定の時間に対する延長時間を計算する計算手段と
を備える
ことを特徴とする請求項２に記載の遊技台予約管理システム。
【請求項４】
遊技台予約管理システムは、操作端末をさらに備え、
前記操作端末は、前記遊技店の遊技台の予約を申し込む予約申込手段を備える
ことを特徴とする請求項１に記載の遊技台予約管理システム。
【請求項５】
前記操作端末は、遊技台周辺端末、遊技店端末、若しくは、パーソナルコンピュータ、PDA、または携帯電話機等の携帯端末、または情報通信端末である
ことを特徴とする請求項４に記載の遊技台予約管理システム。
【請求項６】
前記予約受付手段は、予約が申し込まれた遊技台の予約を受け付けると、前記操作端末に対して予約IDを発行し、
前記操作端末は、前記予約IDを取得し、
前記検出手段は、前記操作端末により取得された予約IDの提示により、前記遊技台の予約を申し込んだ遊技者の車両が、前記駐車場に進入したことを検出する
ことを特徴とする請求項４に記載の遊技台予約管理システム。
【請求項７】
前記検出手段は、
前記駐車場に侵入する車両のナンバープレートを撮像する撮像手段と、
前記撮像手段により撮像されたナンバープレートと、予め登録された前記前記遊技台の予約を申し込んだ遊技者の車両の車両登録情報とを照合する照合手段とを備え、
前記照合手段により前記撮像手段により撮像されたナンバープレートと、予め登録された前記前記遊技台の予約を申し込んだ遊技者の車両の車両登録情報とが一致した場合、前記遊技台の予約を申し込んだ遊技者の車両が、前記駐車場に進入したことを検出する
ことを特徴とする請求項１に記載の遊技台予約管理システム。
【請求項８】
遊技者により予約が申し込まれた遊技店の遊技台の予約を受け付ける第１の情報処理装置、および前記遊技店の駐車場を管理する第２の情報処理装置から構成される遊技台予約管理システムの遊技台予約管理方法において、
予約が申し込まれた遊技台の予約を受け付ける予約受付ステップと、
前記予約受付ステップの処理により予約が受け付けられた遊技台の動作モードを、所定の期間だけ前記遊技台の予約を申し込んだ遊技者以外の遊技者に対して遊技不能状態とする予約モードに設定する設定ステップと、
前記遊技台の予約を申し込んだ遊技者の車両が、前記駐車場に進入したことを検出する検出ステップと、
前記検出ステップの処理により前記遊技者の車両の侵入が検出された場合、前記駐車場の状態に応じて、前記遊技台の予約モードに設定される所定の時間に対する延長時間を計算する計算ステップと、
前記計算ステップの処理により計算された延長時間だけ、前記所定の時間を延長させる延長ステップと
を含むことを特徴とする遊技台予約管理方法。
【請求項９】
遊技者により予約が申し込まれた遊技店の遊技台の予約を受け付ける第１の情報処理装置、および前記遊技店の駐車場を管理する第２の情報処理装置から構成される遊技台予約管理システムを制御するコンピュータに、
予約が申し込まれた遊技台の予約を受け付ける予約受付ステップと、
前記予約受付ステップの処理により予約が受け付けられた遊技台の動作モードを、所定の期間だけ前記遊技台の予約を申し込んだ遊技者以外の遊技者に対して遊技不能状態とする予約モードに設定する設定ステップと、
前記遊技台の予約を申し込んだ遊技者の車両が、前記駐車場に進入したことを検出する検出ステップと、
前記検出ステップの処理により前記遊技者の車両の侵入が検出された場合、前記駐車場の状態に応じて、前記遊技台の予約モードに設定される所定の時間に対する延長時間を計算する計算ステップと、
前記計算ステップの処理により計算された延長時間だけ、前記所定の時間を延長させる延長ステップと
を含む処理を実行させることを特徴とするプログラム。
【請求項１０】
予約が申し込まれた遊技台の予約を受け付ける予約受付手段と、
前記予約受付手段により予約が受け付けられた遊技台の動作モードを、所定の期間だけ前記遊技台の予約を申し込んだ遊技者以外の遊技者に対して遊技不能状態とする予約モードに設定する設定手段と、
前記遊技台の予約を申し込んだ遊技者の車両が、前記遊技店の駐車場に進入した場合、前記駐車場の状態に基づいて計算される前記遊技台の予約モードに設定される所定の時間に対する延長時間だけ、前記所定の時間を延長させる延長手段と
を備えることを特徴とする予約管理サーバ。
【請求項１１】
予約が申し込まれた遊技台の予約を受け付ける予約受付ステップと、
前記予約受付ステップの処理により予約が受け付けられた遊技台の動作モードを、所定の期間だけ前記遊技台の予約を申し込んだ遊技者以外の遊技者に対して遊技不能状態とする予約モードに設定する設定ステップと、
前記遊技台の予約を申し込んだ遊技者の車両が、前記遊技店の駐車場に進入した場合、前記駐車場の状態に基づいて計算される前記遊技台の予約モードに設定される所定の時間に対する延長時間だけ、前記所定の時間を延長させる延長ステップと
を含むことを特徴とする予約管理方法。
【請求項１２】
予約が申し込まれた遊技台の予約を受け付ける予約受付ステップと、
前記予約受付ステップの処理により予約が受け付けられた遊技台の動作モードを、所定の期間だけ前記遊技台の予約を申し込んだ遊技者以外の遊技者に対して遊技不能状態とする予約モードに設定する設定ステップと、
前記遊技台の予約を申し込んだ遊技者の車両が、前記遊技店の駐車場に進入した場合、前記駐車場の状態に基づいて計算される前記遊技台の予約モードに設定される所定の時間に対する延長時間だけ、前記所定の時間を延長させる延長ステップと
を含む処理をコンピュータに実行させることを特徴とするプログラム。
【請求項１３】
遊技店の遊技台の予約を申し込んだ遊技者の車両が、前記遊技店の駐車場に進入したことを検出する検出手段と、
前記検出手段により前記遊技者の車両が検出された場合、前記駐車場の状態に基づいて、前記遊技台の予約を申し込んだ遊技者以外の遊技者に対して遊技不能状態とする前記遊技台の動作モードが予約モードに設定される所定の時間に対する延長時間を計算する計算手段と
を備えることを特徴とする駐車場管理サーバ。
【請求項１４】
遊技店の遊技台の予約を申し込んだ遊技者の車両が、前記遊技店の駐車場に進入したことを検出する検出ステップと、
前記検出ステップの処理により前記遊技者の車両が検出された場合、前記駐車場の状態に基づいて、前記遊技台の予約を申し込んだ遊技者以外の遊技者に対して遊技不能状態とする前記遊技台の動作モードが予約モードに設定される所定の時間に対する延長時間を計算する計算ステップと
を含むことを特徴とする駐車場管理方法。
【請求項１５】
遊技店の遊技台の予約を申し込んだ遊技者の車両が、前記遊技店の駐車場に進入したことを検出する検出ステップと、
前記検出ステップの処理により前記遊技者の車両が検出された場合、前記駐車場の状態に基づいて、前記遊技台の予約を申し込んだ遊技者以外の遊技者に対して遊技不能状態とする前記遊技台の動作モードが予約モードに設定される所定の時間に対する延長時間を計算する計算ステップと
を含む処理をコンピュータに実行させることを特徴とするプログラム。
【発明の詳細な説明】
【技術分野】
【０００１】
本発明は、遊技台予約管理システムおよび方法、予約管理サーバおよび方法、駐車場管理サーバおよび方法、並びにプログラムに関し、特に、遊技店の遊技台を予約した遊技者が、遊技店の駐車場に侵入した時点で、予約モードとなる時間を延長できるようにした遊技台予約管理システムおよび方法、予約管理サーバおよび方法、駐車場管理サーバおよび方法、並びにプログラムに関する。
【背景技術】
【０００２】
複数のパチンコ台やパチスロ台に代表される遊技台が遊技店には設けられている。遊技店の開店から入賞チャンスが大きそうな、いわゆる優良台を確保しようと遊技者が並ぶことがある。このような熱心な遊技者の熱い想いに応えるべく、遊技店のサービス向上施策の一環として、遊技者が所持する端末から遊技台の予約が可能となるシステムが提案されている。
【０００３】
例えば、遊技店に設置される遊技台を予約する技術として、遊技店の開店前に並ばずとも遊技台の予約が出来るように、翌日における遊技台の予約を受け付ける技術が開示されている（例えば、特許文献３参照）。
【０００４】
【特許文献１】特開平７−１８５１００号公報
【発明の開示】
【発明が解決しようとする課題】
【０００５】
しかしながら、上述の技術では、予約規定時間を超過した場合には予約対象遊技台の予約が解除されるため、遊技台予約申請をした遊技者は予約規定時間内に遊技の開始又は遊技開始を申告する必要があった。
【０００６】
また、一方で郊外型遊技店などでは来店遊技者の多くが乗用車にて来店することが多く、遊技台予約申請をした遊技者が駐車スペースを確保出来なかったり空駐車スペースを探すのに戸惑ったりして予約規定時間内に遊技を開始、または、遊技開始の申告ができないことがあった。
【０００７】
さらに、そのような場合、遊技台予約申請をした遊技者は遊技店に来場したにも関らず遊技台予約権利を消失してしまう不利益を被るといったことがあった。
【０００８】
本発明はこのような状況に鑑みてなされたものであり、遊技店の駐車スペースの入口で予約IDを受け付け、駐車スペースの利用状況（駐車スペース混雑状況）に応じて予約モードに設定される時間を延長する事で、予約が申し込まれている遊技台が遊技不能状態に設定された時間内（予約モードに設定された時間内）に来店した、遊技意思を持った遊技台を予約した遊技者が、駐車場において発生する予期せぬ時間超過により、遊技台の予約によりもたらされる権利を消失させないようにするものである。
【課題を解決するための手段】
【０００９】
本発明の遊技台予約管理システムは、予約が申し込まれた遊技台の予約を受け付ける予約受付手段と、予約受付手段により予約が受け付けられた遊技台の動作モードを、所定の期間だけ遊技台の予約を申し込んだ遊技者以外の遊技者に対して遊技不能状態とする予約モードに設定する設定手段と、遊技台の予約を申し込んだ遊技者の車両が、駐車場に進入したことを検出する検出手段と、検出手段により遊技者の車両の侵入が検出された場合、駐車場の状態に応じて、遊技台の予約モードに設定される所定の時間に対する延長時間を計算する計算手段と、計算手段により計算された延長時間だけ、所定の時間を延長させる延長手段とを備えることを特徴とする。
【００１０】
前記遊技者により予約が申し込まれた遊技店の遊技台の予約を受け付ける第１の情報処理装置は、予約管理サーバとするようにさせることができ、遊技店の駐車場を管理する第２の情報処理装置は、駐車場管理サーバとするようにさせることができる。
【００１１】
前記予約管理サーバには、予約が申し込まれた遊技台の予約を受け付ける予約受付手段と、予約受付手段により予約が受け付けられた遊技台の動作モードを、所定の期間だけ遊技台の予約を申し込んだ遊技者以外の遊技者に対して遊技不能状態とする予約モードに設定する設定手段と、計算手段により計算された延長時間だけ、所定の時間を延長させる延長手段とを設けるようにさせることができ、駐車場管理サーバには、遊技台の予約を申し込んだ遊技者の車両が、駐車場に進入したことを検出する検出手段と、検出手段により遊技者の車両が検出された場合、駐車場の状態に基づいて、遊技台の予約モードに設定される所定の時間に対する延長時間を計算する計算手段とを設けるようにさせることができる。
【００１２】
前記遊技台予約管理システムには、操作端末をさらに設けるようにさせることができ、操作端末には、遊技店の遊技台の予約を申し込む予約申込手段を設けるようにさせることができる。
【００１３】
前記操作端末は、遊技台周辺端末、遊技店端末、若しくは、パーソナルコンピュータ、PDA、または携帯電話機等の携帯端末、または情報通信端末とするようにすることができる。
【００１４】
前記予約受付手段には、予約が申し込まれた遊技台の予約を受け付けると、操作端末に対して予約IDを発行させるようにすることができ、操作端末には、予約IDを取得させるようにすることができ、検出手段には、操作端末により取得された予約IDの提示により、遊技台の予約を申し込んだ遊技者の車両が、駐車場に進入したことを検出させるようにすることができる。
【００１５】
前記検出手段には、駐車場に侵入する車両のナンバープレートを撮像する撮像手段と、撮像手段により撮像されたナンバープレートと、予め登録された遊技台の予約を申し込んだ遊技者の車両の車両登録情報とを照合する照合手段とを設けるようにさせることができ、撮像手段により撮像されたナンバープレートと、予め登録された遊技台の予約を申し込んだ遊技者の車両の車両登録情報とが一致した場合、遊技台の予約を申し込んだ遊技者の車両が、駐車場に進入したことを検出させるようにすることができる。
【００１６】
本発明の遊技台予約管理システムの遊技台予約管理方法は、予約が申し込まれた遊技台の予約を受け付ける予約受付ステップと、予約受付ステップの処理により予約が受け付けられた遊技台の動作モードを、所定の期間だけ遊技台の予約を申し込んだ遊技者以外の遊技者に対して遊技不能状態とする予約モードに設定する設定ステップと、遊技台の予約を申し込んだ遊技者の車両が、駐車場に進入したことを検出する検出ステップと、検出ステップの処理により遊技者の車両の侵入が検出された場合、駐車場の状態に応じて、遊技台の予約モードに設定される所定の時間に対する延長時間を計算する計算ステップと、計算ステップの処理により計算された延長時間だけ、所定の時間を延長させる延長ステップとを含むことを特徴とする。
【００１７】
本発明の第１のプログラムは、予約が申し込まれた遊技台の予約を受け付ける予約受付ステップと、予約受付ステップの処理により予約が受け付けられた遊技台の動作モードを、所定の期間だけ遊技台の予約を申し込んだ遊技者以外の遊技者に対して遊技不能状態とする予約モードに設定する設定ステップと、遊技台の予約を申し込んだ遊技者の車両が、駐車場に進入したことを検出する検出ステップと、検出ステップの処理により遊技者の車両の侵入が検出された場合、駐車場の状態に応じて、遊技台の予約モードに設定される所定の時間に対する延長時間を計算する計算ステップと、計算ステップの処理により計算された延長時間だけ、所定の時間を延長させる延長ステップとを含む処理をコンピュータに実行させることを特徴とする。
【００１８】
本発明の予約管理サーバは、予約が申し込まれた遊技台の予約を受け付ける予約受付手段と、予約受付手段により予約が受け付けられた遊技台の動作モードを、所定の期間だけ遊技台の予約を申し込んだ遊技者以外の遊技者に対して遊技不能状態とする予約モードに設定する設定手段と、遊技台の予約を申し込んだ遊技者の車両が、遊技店の駐車場に進入した場合、駐車場の状態に基づいて計算される遊技台の予約モードに設定される所定の時間に対する延長時間だけ、所定の時間を延長させる延長手段とを備えることを特徴とする。
【００１９】
本発明の予約管理方法は、予約が申し込まれた遊技台の予約を受け付ける予約受付ステップと、予約受付ステップの処理により予約が受け付けられた遊技台の動作モードを、所定の期間だけ遊技台の予約を申し込んだ遊技者以外の遊技者に対して遊技不能状態とする予約モードに設定する設定ステップと遊技台の予約を申し込んだ遊技者の車両が、遊技店の駐車場に進入した場合、駐車場の状態に基づいて計算される遊技台の予約モードに設定される所定の時間に対する延長時間だけ、所定の時間を延長させる延長ステップとを含むことを特徴とする。
【００２０】
本発明の第２のプログラムは、予約が申し込まれた遊技台の予約を受け付ける予約受付ステップと、予約受付ステップの処理により予約が受け付けられた遊技台の動作モードを、所定の期間だけ遊技台の予約を申し込んだ遊技者以外の遊技者に対して遊技不能状態とする予約モードに設定する設定ステップと遊技台の予約を申し込んだ遊技者の車両が、遊技店の駐車場に進入した場合、駐車場の状態に基づいて計算される遊技台の予約モードに設定される所定の時間に対する延長時間だけ、所定の時間を延長させる延長ステップと
を含むことを特徴とする処理をコンピュータに実行させるプログラム。
【００２１】
本発明の駐車場管理サーバは、遊技店の遊技台の予約を申し込んだ遊技者の車両が、遊技店の駐車場に進入したことを検出する検出手段と、検出手段により遊技者の車両が検出された場合、駐車場の状態に基づいて、遊技台の予約を申し込んだ遊技者以外の遊技者に対して遊技不能状態とする遊技台の動作モードが予約モードに設定される所定の時間に対する延長時間を計算する計算手段とを備えることを特徴とする。
【００２２】
本発明の駐車場管理方法は、遊技店の遊技台の予約を申し込んだ遊技者の車両が、遊技店の駐車場に進入したことを検出する検出ステップと、検出ステップの処理により遊技者の車両が検出された場合、駐車場の状態に基づいて、遊技台の予約を申し込んだ遊技者以外の遊技者に対して遊技不能状態とする遊技台の動作モードが予約モードに設定される所定の時間に対する延長時間を計算する計算ステップとを含むことを特徴とする。
【００２３】
本発明の第３のプログラムは、遊技店の遊技台の予約を申し込んだ遊技者の車両が、遊技店の駐車場に進入したことを検出する検出ステップと、検出ステップの処理により遊技者の車両が検出された場合、駐車場の状態に基づいて、遊技台の予約を申し込んだ遊技者以外の遊技者に対して遊技不能状態とする遊技台の動作モードが予約モードに設定される所定の時間に対する延長時間を計算する計算ステップとを含む処理をコンピュータに実行させることを特徴とする。
【００２４】
本発明の遊技台予約管理システムおよび方法、並びにプログラムにおいては、予約が申し込まれた遊技台の予約が受け付けられ、予約が受け付けられた遊技台の動作モードが、所定の期間だけ遊技台の予約を申し込んだ遊技者以外の遊技者に対して遊技不能状態とされる予約モードに設定され、遊技台の予約を申し込んだ遊技者の車両が、駐車場に進入したことが検出され、遊技者の車両の侵入が検出された場合、駐車場の状態に応じて、遊技台の予約モードに設定される所定の時間に対する延長時間が計算され、計算された延長時間だけ、所定の時間が延長させられる。
【００２５】
本発明の予約管理サーバおよび方法、並びにプログラムにおいては、予約が申し込まれた遊技台の予約が受け付けられ、予約が受け付けられた遊技台の動作モードが、所定の期間だけ遊技台の予約を申し込んだ遊技者以外の遊技者に対して遊技不能状態とされる予約モードに設定され、遊技台の予約を申し込んだ遊技者の車両が、遊技店の駐車場に進入した場合、駐車場の状態に基づいて計算される遊技台の予約モードに設定される所定の時間に対する延長時間だけ、所定の時間が延長させられる。
【００２６】
本発明の駐車場管理サーバおよび方法、並びにプログラムにおいては、遊技店の遊技台の予約を申し込んだ遊技者の車両が、遊技店の駐車場に進入したことが検出された場合、駐車場の状態に基づいて、遊技台の予約を申し込んだ遊技者以外の遊技者に対して遊技不能状態とする遊技台の動作モードが予約モードに設定される所定の時間に対する延長時間が計算される。
【００２７】
予約が申し込まれた遊技台の予約を受け付ける予約受付手段は、例えば、予約管理サーバの予約情報記憶制御部であり、予約が受け付けられた遊技台の動作モードを、所定の期間だけ遊技台の予約を申し込んだ遊技者以外の遊技者に対して遊技不能状態とする予約モードに設定する設定手段は、例えば、予約管理サーバの切替指示情報送信部であり、遊技台の予約を申し込んだ遊技者の車両が、駐車場に進入したことを検出する検出手段は、例えば、駐車場管理サーバのゲート通過情報送信部であり、遊技者の車両の侵入が検出された場合、駐車場の状態に応じて、遊技台の予約モードに設定される所定の時間に対する延長時間を計算する計算手段は、例えば、駐車場管理サーバの延長時間計算部であり、計算された延長時間だけ、所定の時間を延長させる延長手段は、例えば、予約管理サーバの予約管理部である。
【００２８】
本発明においては、遊技台を予約した遊技者の車両が駐車場に進入すると、駐車場の混雑具合を駐車場の稼働率として計算し、稼働率に応じて、予約モードに設定される時間の延長時間が計算され、計算された延長時間分だけ予約モードに設定される時間が延長されるので、遊技台を予約した遊技者が遊技店の駐車場に入場した時点で、意に反して車両の駐車に手間取ったり、車両を駐車場の駐車スペースに駐車させてから、遊技店内の予約した遊技台に移動するまでの時間かかってしまうようなことがあっても、予約により得られる権利が消失してしまうといったことが抑制される。
【発明の効果】
【００２９】
本発明によれば、遊技意思を持った遊技台を予約した遊技者が、遊技店の駐車場において発生する予期せぬ時間超過により、遊技台の予約によりもたらされる権利を消失させないようにすることが可能となる。
【発明を実施するための最良の形態】
【００３０】
図１は、本発明に係る遊技店における遊技台予約システムの一実施の形態の構成を示す図である。この予約管理システムは、いわゆるパチスロ店やパチンコ店などの遊技店に設置される複数の遊技台（パチンコ台、パチスロ台、またはゲーム機など）の開店前、または、開店後の予約を管理するものである。
【００３１】
ホールコンピュータ１は、遊技店の経営者により管理運営されるコンピュータであり、遊技台３−１乃至３−ｎの動作を監視している。ホールコンピュータ１は、遊技台の出玉もしくはメダルの払い出しの情報、各遊技台３−１乃至３−ｎの遊技者の呼出し情報、またはエラーの発生などの監視状況に応じて、所定の処理を実行する。尚、遊技台３−１乃至３−ｎを個々に区別して称する必要がない場合、単に、遊技台３と称するものとし、その他の構成についても同様に称するものとする。
【００３２】
また、ホールコンピュータ１は、各遊技台３の予約を受け付ける予約管理サーバとして機能する。尚、本明細書においては、ホールコンピュータ１が、予約管理サーバとして機能する場合について説明していくため、以降においては、予約管理サーバ１と称するものとするが、ホールコンピュータ１は同一のものである。
【００３３】
予約管理サーバ１は、会員情報データベース２に記録されている遊技者の情報に基づいて、携帯電話機６やパーソナルコンピュータ７といった遊技者の所有する携帯端末に遊技台の出玉情報（遊技台の当たり回数や払い出しされた玉の数などの情報）などの優良台を判断するための、いわゆる優良台情報や、遊技台の予約状況情報（各遊技台毎の予約有無の状況を示す情報）を配信する。また、予約管理サーバ１は、開店時刻の前までに、携帯電話機６やパーソナルコンピュータ７といった遊技者の所有する端末装置より送信されてくる遊技台の予約を受け付け、予約IDを発行すると共に、予約情報を予約情報データベース８に格納する。さらに、予約管理サーバ１は、遊技台の予約を受け付けるとき、駐車場管理サーバ９と連携して駐車場１６の駐車スペースについても予約を受け付ける。
【００３４】
尚、遊技者は、事前に遊技店の会員登録を行い、それぞれが会員コードの配給を受けており、遊技者が所有する会員カード１２１（図４）や携帯電話機６に記録されている。このため、遊技者は、配信された優良台情報に基づいて、所望とする遊技台を決定し、必要に応じて、携帯電話機（PDAなどの携帯端末を含む）６やパーソナルコンピュータ７を操作して、遊技台を予約する。
【００３５】
また、予約管理サーバ１による遊技台の予約の受け付けは、開店時刻からの遊技台のうち、未予約状態の遊技台の予約として受け付けられる。換言すれば、予約の受付は、すべての遊技台３が占有されていない開店時からの占有権について受け付けられているとも言える。
【００３６】
さらに、予約管理サーバ１による予約の受付は、開店時刻までとされ、開店時刻を過ぎた場合の予約は、翌日以降の遊技台の予約として受け付けられることになる。尚、予約の受付は、全ての遊技台３が占有されていない状態における遊技台３に対しての予約であるので、遊技店の入店口が開放される時刻まで予約を受け付けるようにしても良い。
【００３７】
なお、新台（遊技店に新しく設置された遊技台）のように、遊技者が我先にと殺到する遊技台の予約は遊技者にサービスにはなり得ず、占有（遊技店はその遊技台を使わせないようにしていると遊技者に感じさせてしまう）にしかならない。つまり、せっかく訪れた遊技者の不評を買うことにもなるので、このように遊技者が殺到するような遊技台３はあえて予約対象としない（予約を受け付けない、予約を登録できない）ようにしてもよい。
【００３８】
また、予約管理サーバ１は、遊技店の開店時刻から所定の時間が経過するまでの間（遊技台を予約した遊技者の予約が有効である時間、つまりは予約時間の間）、予約対象の会員コード（その遊技台３を予約した遊技者の会員コード）が提示されるまで、予約を受け付けた遊技台３を遊技不能状態にする。
【００３９】
さらに、予約管理サーバ１は、予約を受け付けた遊技台３には、予約が設定されていることを提示させる。
【００４０】
尚、以降においては、予約を受け付けた会員コードが提示されるまで遊技不能状態とされ、予約を受け付けた会員コードが提示されることにより遊技可能状態に切り替わる遊技台３の動作モードを予約モードと称する。
【００４１】
予約を受け付けた会員コードの提示は、遊技台３または遊技台周辺端末４（図中では、遊技台周辺端末４−１乃至４−ｎ：基本的に遊技台周辺端末４は、遊技台３と一対で構成されており、それぞれに対応したものとして機能する）に設けられた会員コード受付部（後述する図３のカード受付用会員受付部６２または携帯電話用会員受付部６３）によって、会員コードが記録されたパンチ、磁気式、光学式、もしくは磁気光学式のカード型記録媒体、または、携帯電話機６などに代表される携帯端末に記憶されている予約を受け付けた会員コードを読み取ることにより提示を受ける方法の他、遊技台３に設置された情報入力部から予約を受け付けた会員コードと暗証番号を入力することにより提示を受けるなどの方法があり、その遊技台３を正規な手続きで予約した遊技者であることが確認できるように、会員コードの提示が受けられれば、その手段は特に問わない。
【００４２】
予約管理サーバ１は、予約モードが終了すると（予約モードに設定されるべき時間が経過すると、または、所定の時刻が過ぎると）、遊技台３を遊技可能状態にする（通常モードに設定する）。
【００４３】
尚、予約モードの終了（もうすぐ終了）などの遊技台の状態を、遊技台に設置されたランプなどによって周囲に通知するようにしていもよい。
【００４４】
遊技店端末５−１乃至５−ｎは、遊技店の従業員などによって操作され、遊技者が登録されていない会員コード（例えば、遊技店の会員コード）により遊技台３を予約するとき操作される。
【００４５】
駐車場管理サーバ９は、センサ１２により遊技店の駐車場１６への車両１５の入退場を検知して、今現在駐車場１６に駐車されている車両の台数を管理すると共に、遊技台３の予約と同時に予約管理サーバ１と連携して、駐車場１６内の駐車スペースの予約を受け付ける。駐車場管理サーバ９は、駐車場１６に入退場する車両の情報や、駐車スペースの予約を、駐車場管理データベース１０に記憶させて管理する。
【００４６】
また、駐車場管理サーバ９は、遊技台３を予約した遊技者の車両が進入すると、遊技台３が予約された際に、予め駐車スペースが予約された遊技者の車両である場合、駐車場管理データベース１０にアクセスし、今現在の駐車場の稼働率を求め、必要に応じて予約モードを設定する時間の延長時間を計算し、予約管理サーバ１に報告する。このとき、予約管理サーバ１は、報告された延長時間分だけ、予約されている遊技台３の予約モードを設定する時間を延長する。
【００４７】
より具体的には、駐車場管理サーバ９は、読取部１３が車両１５に乗車中の遊技者により会員コード提示装置１４（例えば、携帯電話機６、または会員カード１２１）により提示される、例えば、２次元バーコードなどからなる予約ID、または、会員コードを読み取ると、読み取った予約IDまたは会員コードに基づいて駐車場が予約されているか否かを判定し、予約されていると判定した場合、駐車場１６の稼働率に基づいた予約モードの延長時間を計算し、予約管理サーバ１に送信する。
【００４８】
このようにすることにより、遊技台３を予約し、予約モードが設定されている時間内に駐車場１６に自らの車両で入場した遊技者が、駐車場に入ってから遊技店に入店して、予約した遊技台３で遊技を開始するまでの時間を補うことが可能となり、遊技台３を予約した遊技者が、駐車場１６の混雑状況に応じて、駐車スペースに停車させるまでに多少手間取るようなことがあっても、遊技台３を予約することにより得られる権利を消失してしまうといった事態を抑制することが可能となる。
【００４９】
また、駐車場１６に侵入した車両が遊技台３を予約した車両であるか否かは、上述した読取部１３を用いた方法のみならず車両登録情報からも判定することができる。駐車場管理サーバ９は、センサ１２により車両１５の侵入を感知すると、カメラ１１により車両１５のナンバープレート１５ａまたは１５ｂ（ナンバープレート１５ａは、車両１５の前方部分に設置されたものであり、ナンバープレート１５ｂは、車両１５の前方部分に設置されたものである）を撮像させる。そして、駐車場管理サーバ９は、撮像されたナンバープレート１５ａまたは１５ｂの情報と、会員コードが登録される際、遊技者の個人情報と共に予め登録されている車両登録情報とを照合し、遊技台３を予約している遊技者の車両であるか否かを判定する。
【００５０】
次に、図２を参照して、ホールコンピュータ（予約管理サーバ）１の構成について説明する。
【００５１】
CPU（Central Processing Unit）２１は、ROM（Read Only Memory）２２、または記憶部２８に記憶されているプログラムに従って各種の処理を実行する。RAM（Random Access Memory）２３には、CPU２１が実行するプログラムやデータなどが適宜記憶される。これらのCPU２１、ROM２２、およびRAM２３は、バス２４により相互に接続されている。
【００５２】
CPU２１には、バス２４を介して入出力インタフェース２５が接続されている。入出力インタフェース２５には、キーボードやマウスなどから構成される入力部２６、スピーカやディスプレイなどから構成される出力部２７が接続されている。CPU２１は、入力部２６からの情報に基づいて所定の処理を実行し、出力部２７を介して処理結果となる画像や音声を出力させる。
【００５３】
入出力インタフェース２５に接続されている記憶部２８は、例えばハードディスクなどで構成され、CPU２１が実行するプログラムや各種のデータを記憶する。通信部２９は、イントラネットなどに代表されるネットワークを介して遊技台３または遊技台周辺端末４から供給される情報を取得する。
【００５４】
また、記憶部２８は、各種のプログラムを記憶しており、CPU２１は、これらのプログラムを読み出して対応する処理を実行する。記憶部２８に記憶されるプログラムは、上述のほかにも、通信部２９を介してプログラムを取得して記憶するようにしてもよい。
【００５５】
入出力インタフェース２５に接続されているドライブ３０は、磁気ディスク４１、光ディスク４２、光磁気ディスク４３、或いは半導体メモリ４４などが挿入されたとき、それらを駆動し、そこに記録されているプログラムやデータなどを取得する。取得されたプログラムやデータは、必要に応じて記憶部２８に転送され、記憶される。
【００５６】
次に、図３を参照して、遊技台周辺端末４の構成について説明する。ここでいう遊技台周辺端末４とは、実際に遊技者が遊技をする、例えば、パチンコ台やパチスロ台そのものではなく、遊技台３が配置された間の空間であって、台間玉貸機などが設けられる部分に設置される機器や遊技台３の上部に設けられている表示部の動作を制御したり、予約管理サーバ１からの信号に基づいて、遊技台３を遊技不能状態または遊技可能状態に動作させるものである。
【００５７】
制御部５１は、遊技台周辺端末４の動作の全体を制御しており、入力部５２より供給された信号に応じて、所定の処理を実行し、処理結果を出力部５３に出力する。また、制御部５１は、処理結果を通信部５４を介して予約管理サーバ１に送信したり、予約管理サーバ１より供給されてくる各種の信号を取得して、対応する処理を実行する。
【００５８】
入力部５２の操作ボタン６１は、遊技者が自らの会員コードを直接入力するとき操作されるボタンであり、遊技者の操作内容に応じた操作信号を発生し、制御部５１に供給する。
【００５９】
カード受付用会員受付部６２は、遊技者の会員コードが記録された会員カードから会員コードを読み出し、読み出した会員コードの情報を制御部５１に供給する。カード受付用会員受付部６２は、例えば、図４で示されるように、遊技台３が配置されている間の例えば、台間玉貸機１０１−１，１０１−２に設けられている。尚、台間玉貸機１０１は、遊技台周辺端末４としての機能も備えている。さらに、図５で示されるように、カード受付用会員受付部６２は、カード差込部１１１に会員カード１２１が挿入されると会員カード１２１に記録されている会員コードを読み出し、読み出した会員コードを制御部５１に供給する。カード受付用会員受付部６２は、会員コードの読み出しが完了すると、挿入された会員カード１２１をカード差込部１１１より抜き出す。
【００６０】
また、図６で示されるように、例えば、上述した操作ボタン６１は、カード差込部１２１の上部に設けられるようにしても良い。このような構成とすることにより、入力部５２は、会員コードを操作ボタン６１またはカード受付用会員受付部６２のいずれでも受け付けることができる。
【００６１】
さらに、カード受付用会員受付部６２は、例えば、図６で示されるように、発光部８１からなる呼出ランプ７３に設けるようにしても良い。図６においては、呼出しランプ７３の筐体部の遊技者からみて側面部にカード差込部１１１が設けられており、会員カードが挿入される構成となっている。カード取り出しボタン１３１は、会員カード１２１に記録されている会員コードの読み出しが完了し、会員カードを遊技者がカード差込部１１１より抜き出すとき操作され、会員カード１２１が挿入された状態で、会員カードの挿入方向に対して押圧することにより、会員カード１２１が抜き出される構成となっている。
【００６２】
携帯電話機会員受付部６３は、携帯電話機６に記憶されている遊技者の会員コードを読み出し、制御部５１に供給する。携帯電話機会員受付部６３は、たとえば、図７で示されるように、遊技台３間に設けられている。携帯電話機会員受付部６３は、台間玉貸機１０１に設けられた携帯電話差込口６３Ａ−１，６３Ａ−２に遊技者の携帯電話機６を差込むことでBlueTooth等の近距離無線通信により、携帯電話機６に記憶されている会員コードを読み出す。また、図８で示されるように、携帯電話機会員受付部６３は、遊技台３間の台間玉貸機１０１に設けられている、携帯電話通信用の接続ケーブル６３Ｂ−１，６３Ｂ−２を介して（コネクタについては、複数の携帯電話機の形式に対応できるように、それぞれの形式ごとに設けられており、図８においては３種類設けられている）携帯電話機６に記憶されている会員コードを読み出す。また、接続ケーブル６３Ｂは、図示されていないが、巻取り機構により台間玉貸機１０１本体から伸縮自在な構成となっている。
【００６３】
出力部５３の予約表示部７１は、例えば、図９，図１０で示されるように、遊技台３の上部に設けられたプレート状のものであり、軸Axを中心に矢印Ａ，Ｂ方向に回動することにより、遊技台３に対して平行の状態または垂直の状態に可動する構成となっている。予約管理サーバ１より遊技台３の占有権の予約が設定されたことを示す情報が供給されると、対応して図１０の矢印Ａ方向に回動し、予約が設定されていることを示す「予約中」と表記された文字が提示される状態となり、逆に、予約の設定がされていないとき、矢印Ｂ方向に回動して「予約中」の文字が提示されない状態となる。なお、予約表示部７１は、例えば、矢印Ａ方向に回動した場合、発光するような構成とするようにしても良い。
【００６４】
台情報表示部７２ｙまたは７２ｘは、例えば、図６または図５で示されるように、遊技台の上部または台間玉貸機１０１に設けられ、遊技台３の当たり回数や出玉数などの情報を表示する。
【００６５】
呼出ランプ７３は、図示せぬ操作ボタンにより、遊技台３に動作の異常や遊技店の店員を呼び出す場合に遊技者に操作されたとき、発光するランプである。
【００６６】
制御部５１に接続されているドライブ５５は、磁気ディスク５６、光ディスク５７、光磁気ディスク５８、或いは半導体メモリ５９などが挿入されたとき、それらを駆動し、そこに記録されているプログラムやデータなどを取得し、必要に応じて制御部５１により利用される。
【００６７】
次に、図１１を参照して、携帯電話機６の構成について説明する。尚、携帯電話機６の構成については、基本的に、ホールコンピュータ（予約管理サーバ）１と同様の構成であり、CPU１５１、ROM１５２、RAM１５３、バス１５４、入出力インタフェース１５５、入力部１５６、出力部１５７、記憶部１５８、通信部１５９、ドライブ１６０、磁気ディスク１７１、光ディスク１７２、光磁気ディスク１７３、および半導体メモリ１７４は、それぞれホールコンピュータ（予約管理サーバ）１のCPU２１、ROM２２、RAM２３、バス２４、入出力インタフェース２５、入力部２６、出力部２７、記憶部２８、通信部２９、ドライブ３０、磁気ディスク４１、光ディスク４２、光磁気ディスク４３、および半導体メモリ４４に対応するものである。ただし、携帯電話機６においては、ホールコンピュータ（予約管理サーバ）１とは異なり、携帯性が重視された小型のものであり、さらに、記憶部１５８の記憶容量についても、必要以上に大きくする必要がないため、ハードディスクドライブなどではなく、例えば、小型の半導体メモリなどから構成されるようにしてもよい。
【００６８】
尚、遊技店端末５、および、駐車場管理サーバ９の構成については、ホールコンピュータ１と同様であるので、その説明は省略する。
【００６９】
次に、各種の動作について説明する。まず、会員コードは携帯電話機６に記憶されているものとし、遊技者は、自らの会員コードが記憶されたものを所持し、必要に応じて各種の動作に使用するものとして説明を進める。
【００７０】
まず、会員登録処理について説明する。尚、会員登録処理には、事前に会員登録フォーマットの配布処理が必要であるが、この処理についても併せて説明するものとする。
【００７１】
図１２は、会員登録処理において、予約管理サーバ１により実現される機能を説明する機能ブロック図である。
【００７２】
依頼受信部２０１は、通信部２９を制御して、携帯電話機６や遊技店端末５から会員コードの発行を依頼する発行依頼情報を受信し、読込部２０２に供給する。読込部２０２は、依頼受信部２０１より供給される会員コードの発行依頼情報を取得すると、会員情報DB（データベース）２で管理されている登録情報フォーマットを読み込み、フォーマット送信部２０３に供給する。フォーマット送信部２０３は、通信部２９を制御して、読込部２０２より供給された登録情報フォーマットを会員コードの発行を依頼してきた携帯電話機６または遊技店端末５に送信する。登録情報フォーマットには、氏名、住所、および連絡先などの個人情報の他に、遊技台３の予約と共に駐車場１６の駐車スペースの予約に用いられる車両登録情報（ナンバープレート１５に記載されている情報）を入力する欄が設けられている。
【００７３】
登録情報受信部２０４は、通信部２９を制御して、携帯電話機６より送信されてくる、登録情報が入力されている登録情報フォーマットを受信し、発行部２０５に供給する。発行部２０５は、登録情報受信部２０４より供給された登録情報フォーマットに記録された登録情報に基づいて、会員コードを発行し、会員コード送信部２０７に供給すると共に、発行した会員コードと、会員コードに対応する登録情報を登録部２０６に供給する。
【００７４】
登録部２０６は、発行部２０５より供給された会員コードと、その会員コードに対応する登録情報を、それぞれ対応付けた状態で会員情報DB２に登録させる（DBとして記憶させる）。会員コード送信部２０７は、発行部２０５より供給された会員コードと共に会員登録が完了したことを示す報告情報を携帯電話機６に送信する。
【００７５】
次に、図１３を参照して、会員登録処理において、携帯電話機６により実現される機能を説明する。
【００７６】
登録依頼受付部２２１は、入力部１５６の操作内容に基づいて、携帯電話機６の遊技者により会員コードの発行依頼を受け付け、発行依頼情報を生成して発行依頼情報送信部２２２に供給する。発行依頼情報送信部２２２は、通信部１５９を制御して、登録依頼受付部２２１より供給された発行依頼情報を予約管理サーバ１に送信する。
【００７７】
フォーマット取得部２２３は、通信部１５９を制御して、会員コードの発行依頼情報に基づいて、予約管理サーバ１より送信されてくる登録情報フォーマットを取得し、フォーマット出力制御部２２４に供給する。フォーマット出力制御部２２４は、フォーマット取得部２２３より供給された登録情報フォーマットを、例えば、ディスプレイなどからなる出力部１５７に供給し表示する。
【００７８】
入力受付部２２５は、フォーマット出力制御部２２４により表示されている登録情報フォーマットに基づいて、遊技者により入力部１５６が操作されることにより、登録情報フォーマットへの登録情報の入力を受け付けて、登録情報が入力されている登録情報フォーマットを生成して、登録情報送信部２２６に供給する。
【００７９】
登録情報送信部２２６は、入力受付部２２５より供給されてくる、登録情報が入力済みの登録情報フォーマットを取得し、通信部１５９を制御して、予約管理サーバ１に送信する。会員コード受信部２２７は、通信部１５９を制御して、予約管理サーバ１より送信されてくる会員コードと共に会員登録が完了したことを示す報告情報を受信し、記憶制御部２２８に供給する。記憶制御部２２８は、会員コード受信部２２７より供給される会員コードを記憶部２２９に記憶させると共に、会員コードが取得され、記憶部２２９に記憶されて、会員登録が完了したことを示す情報を報告情報出力部２３０に供給する。報告情報出力２３０は、記憶制御部２２８より供給される、会員コードが取得されて、記憶部２２９に記憶され、会員登録が完了したことを示す報告情報を取得すると、出力部１５７に出力させ遊技者に対して提示する。
【００８０】
次に、図１４のフローチャートを参照して、会員登録フォーマット配信処理について説明する。
【００８１】
ステップＳ１において、登録依頼受付部２２１は、携帯電話機６を所持する遊技者が、入力部１５６を操作して、会員登録を依頼してきた場合、会員登録の依頼を受け付け、その処理は、ステップＳ２に進む。
【００８２】
ステップＳ２において、登録依頼受付部２２１は、入力部１５６の操作内容に基づいて、携帯電話機６の遊技者により会員コードの発行依頼を受け付け、発行依頼情報を生成して発行依頼情報送信部２２２に供給する。さらに、発行依頼情報送信部２２２は、通信部１５９を制御して、登録依頼受付部２２１より供給された発行依頼情報を予約管理サーバ１に送信する。
【００８３】
ステップＳ１１において、依頼受信部２０１は、通信部２９を制御して、携帯電話機６から会員コードの発行を依頼する発行依頼情報を受信し、読込部２０２に供給する。読込部２０２は、依頼受信部２０１より供給される会員コードの発行依頼情報を取得すると、会員情報DB（データベース）２で管理されている登録情報フォーマットを読み込み、フォーマット送信部２０３に供給する。フォーマット送信部２０３は、通信部２９を制御して、読込部２０２より供給された登録情報フォーマットを会員コードの発行を依頼してきた携帯電話機６に送信する。
【００８４】
ステップＳ３において、フォーマット取得部２２３は、通信部１５９を制御して、会員コードの発行依頼情報に基づいて、予約管理サーバ１より送信されてくる登録情報フォーマットを取得し、フォーマット出力制御部２２４に供給する。フォーマット出力制御部２２４は、フォーマット取得部２２３より供給された登録情報フォーマットを、例えば、ディスプレイなどからなる出力部１５７に供給し表示する。
【００８５】
以上の処理により、携帯電話機６より会員登録依頼情報が予約管理サーバ１に送信されると、会員登録処理を実行するための会員登録フォーマットが、予約管理サーバ１より携帯電話機１に配信される。遊技者は、携帯電話機６を操作して、配信された会員登録フォーマットに、氏名、住所、および連絡先などの個人情報、および、遊技台３の予約と共に駐車場１６の駐車スペースの予約に用いられる車両登録情報（ナンバープレート１５に記載されている情報）を自らの登録情報として入力することで、後述する会員登録処理を実行することが可能となる。
【００８６】
次に、図１５のフローチャートを参照して、携帯電話機６と予約管理サーバ１による会員登録処理について説明する。
【００８７】
ステップＳ２１において、入力受付部２２５は、上述の処理により取得した登録情報フォーマットに対しての入力を受け付けると、その処理は、ステップＳ２２に進む。
【００８８】
ステップＳ２２において、入力受付部２２５は、遊技者により入力部１５６が操作されることにより、登録情報フォーマットへの登録情報の入力済みの登録情報フォーマットを登録情報送信部２２６に供給する。登録情報送信部２２６は、入力受付部２２５より供給されてくる、登録情報が入力済みの登録情報フォーマットを取得し、通信部１５９を制御して、予約管理サーバ１に送信する。
【００８９】
ステップＳ３１において、登録情報受信部２０４は、携帯電話機６より送信されてくる、登録情報が入力されている登録情報フォーマットを受信し、発行部２０５に供給する。発行部２０５は、登録情報受信部２０４より供給された登録情報フォーマットに記録された登録情報に基づいて、会員コードを発行し、会員コード送信部２０７に供給すると共に、発行した会員コードと、会員コードに対応する登録情報を登録部２０６に供給する。
【００９０】
ステップＳ３２において、登録部２０６は、発行部２０５より供給された会員コードと、その会員コードに対応する登録情報を、それぞれ対応付けた状態で会員情報DB２に登録させる（DBとして記憶させる）。
【００９１】
ステップＳ３３において、会員コード送信部２０７は、発行部２０５より供給された会員コードと共に会員登録が完了したことを示す報告情報を携帯電話機６に送信する。
【００９２】
ステップＳ２３において、会員コード受信部２２７は、通信部１５９を制御して、予約管理サーバ１より送信されてくる会員コードと共に会員登録が完了したことを示す情報を受信し、記憶制御部２２８に供給する。記憶制御部２２８は、会員コード受信部２２７より供給される会員コードを記憶部２２９に記憶させると共に、会員コードが取得され、記憶部２２９に記憶されて、会員登録が完了したことを示す情報を報告情報出力部２３０に供給する。
【００９３】
ステップＳ２４において、報告情報出力部２３０は、記憶制御部２２８より供給される、会員コードが取得されて、記憶部２２９に記憶され、会員登録が完了したことを示す情報を取得すると、出力部１５７に出力させ遊技者に対して提示する。
【００９４】
以上の処理により、会員登録処理が実行されて、予約管理サーバ１においては、会員登録を要求してきた遊技者の会員コードを発行して、その遊技者の氏名、住所、および連絡先などの個人情報、並びに、車両登録情報（ナンバープレート１５に記載されている情報）を、会員コードに対応付けて登録情報として会員情報DB２に登録させる。また、遊技者は、自らの携帯電話機６に会員コードを取得して記憶させることが可能となる。尚、この会員コードは、数値化されたデータであってもよいが、例えば、携帯電話機６のディスプレイなどに、２次元バーコードとして表示させるようにすることもできる。
【００９５】
尚、以上においては、携帯電話機６により会員コードの登録処理を実行し、会員コードを携帯電話機６に記憶させる例について説明してきたが、例えば、携帯電話機６に代えて遊技店端末５などにより会員コードを発行させ、発行された会員コードを記録した会員カード１２１を発行するようにしても良い。
【００９６】
図１６は、会員コードが発行されると同時に、発行された会員コードが記録された会員カード１２１を発行するようにした場合の処理における遊技店端末５の機能を説明する図である。尚、図１３を参照して説明した携帯電話機６の機能における構成と同一の構成については、同一の符号を付しており、その説明は、適宜省略するものとする。
【００９７】
図１６の遊技店端末５において、図１３の携帯電話機６により実現される機能と異なる点は、記憶制御部２２８および記憶部３２９に代えて、会員カード発行部２４１を設けた点である。会員カード発行部２４１は、会員コード受信部２２７より供給されてきた会員コードを記録した会員カード１２１を発行する。尚、会員コードは、磁気的に記録するようにしても良いし、２次元バーコードなどで印刷するようにしても良い。
【００９８】
次に、図１７のフローチャートを参照して、遊技店端末５と予約管理サーバ１による会員登録処理について説明する。尚、図１７のフローチャートにおけるステップＳ４１，Ｓ４２，Ｓ４４、およびステップＳ５１乃至Ｓ５３の処理については、図１５のフローチャートを参照して説明したステップＳ２１，Ｓ２２，Ｓ２４、およびステップＳ３１乃至Ｓ３３の処理と同様であるので、その説明は省略する。
【００９９】
すなわち、図１７のフローチャートにおいて、図１５のフローチャートの処理と異なる点は、ステップＳ４３において、会員カード発行部２４１が、会員コード受信部２２７より供給されてきた会員コードを記録した会員カード１２１を発行することであり、その他の処理については、図１５の処理と同様である。
【０１００】
以上の処理により、会員登録処理が実行されて、予約管理サーバ１においては、会員登録を要求してきた遊技者の会員コードを発行して、その遊技者の氏名、住所、および連絡先などの個人情報、並びに、車両登録情報（ナンバープレート１５に記載されている情報）を、会員コードに対応付けて登録情報として会員情報DB２に登録させる。また、遊技者は、会員コードが記録された会員カードを取得することが可能となる。尚、この会員コードは、数値化されたデータであってもよいが、例えば、会員カード１２１の表面などに、２次元バーコードとして印刷させるようにすることもできる。
【０１０１】
次に、図１の遊技台予約管理システムにおける予約処理、状態切替処理、遊技受付処理、および駐車場入退管理処理について説明する。
【０１０２】
まず、図１８を参照して、予約処理、状態切替処理、および遊技受付処理を実行するとき、予約管理サーバ１により実現される機能について説明する。
【０１０３】
予約情報受信部３０１は、通信部２９を制御して、携帯電話機６より会員コードと共に送信されてくる、予約する遊技台３を指定する予約情報を受信し、予約情報受付可否判断部３０２に供給する。予約情報受付可否判断部３０２は、内蔵するRTC（Real Time Clock）３０２ａの時刻情報、および、予約情報DB（データベース）２に記憶されている予約状況情報に基づいて、予約情報を受け付けるか否かを判断する。例えば、予約情報による遊技台３の予約を受け付けると判断した場合、予約情報受付可否判断部３０２は、会員コードと共に予約情報を予約情報記憶制御部３０３に供給する。一方、予約情報による遊技台３の予約を受け付けないと判断した場合、予約情報受付可否判断部３０２は、予約情報に基づいた予約を受け付けない旨の報告情報を報告情報送信部３０４に供給する。
【０１０４】
予約情報記憶制御部３０３は、予約情報受付可否判断部３０２により予約が受け付けられた予約情報と会員コードに基づいて、予約情報を記憶させる。より具体的には、予約が指定された遊技台３を特定する遊技台識別コード、予約を申し込んだ遊技者の会員コード、および予約日を、それぞれ予約IDに対応付けて記憶させる。さらに、予約情報記憶制御部３０３は、予約が完了した旨の報告情報を報告情報送信部３０４に供給する。
【０１０５】
報告情報送信部３０４は、通信部２９を制御して、予約情報を送信してきた携帯電話機６に対して、予約を受け付けない旨の報告情報、または、予約が完了した旨の報告情報を送信する。また、報告情報送信部３０４は、予約が完了した旨の報告情報を送信するとき、合わせて、駐車スペース利用フォーマットを送信する。
【０１０６】
ゲート通過情報取得部３０５は、駐車場管理サーバ９より送信されてくる駐車場１６に遊技台３を予約した遊技者の車両が進入したことを通知するゲート通過情報と共に、その遊技者３の所持する携帯電話機６により提示された予約ID、または、車両登録情報に基づいて取得された会員コードを照合部３０６に供給する。
【０１０７】
照合部３０６は、供給された会員コードまたは予約IDと、予約情報DB２に登録されている予約情報とを照合し、ゲート通過情報取得部３０５より供給されてきた会員コードおよび予約IDが、遊技台３を予約している正規な予約IDまたは会員コードであるか否かを示す照合結果を照合結果送信部３０７に供給する。
【０１０８】
照合結果送信部３０７は、照合部３０６より供給されてきた照合結果を駐車場管理サーバ９に送信する。
【０１０９】
延長時間受信部３０８は、駐車場管理サーバ９より予約ID、または、会員コードと共に送信されてくる予約モードが設定される時間の延長時間を受信し、予約管理部３０９に供給する。
【０１１０】
予約管理部３０９は、延長時間受信部３０８より予約ID、または、会員コードと共に延長時間が供給されると、予約情報DB２にアクセスし、供給された予約ID、または、会員コードに対応する予約情報を読み出し、対応する遊技台３の予約モードの設定時間を、送信されてきた延長時間分だけ延長して登録させる。尚、ここで、登録される予約モードの設定時間は、後述するスケジュール情報DB４０２に記憶される情報である。
【０１１１】
車両登録情報読出部３１０は、駐車場管理サーバ９がカメラ１１により撮像された駐車場１６に進入する車両のナンバープレートの情報に基づいて、遊技台３を予約した車両であるか否かを照合するために要求された場合、予約情報DB２に記憶されている、遊技台３を予約した会員コードに対応する車両登録情報の一覧を、会員情報データベース２より読み出して、駐車場管理サーバ９に送信する。
【０１１２】
駐車スペース予約受付部３１１は、駐車スペース利用フォーマットに基づいて、携帯電話機６より遊技台３の予約が受け付けられたときの駐車スペースの予約の要求の有無を受け付け、駐車スペースの予約が要求されると、駐車場管理サーバ９に対して駐車スペースの予約を要求し、要求に基づいた駐車場管理サーバ９からの通知結果を携帯電話機６に通知する。
【０１１３】
次に、図１９を参照して、予約処理を実行するとき、携帯電話機６により実現される機能について説明する。図１９は、予約処理を実行するとき、携帯電話機６により実現される機能を示す機能ブロック図である。
【０１１４】
予約情報受付部３４１は、入力部１５６が操作されて、遊技者により指定された遊技台３を指定された予約日の予約を予約情報として受け付ける。会員コード読込部３４２は、予約情報受付部３４１より遊技者により指定された遊技台３の予約を受け付けた予約情報を取得すると、記憶部３４５（図１３の記憶部２２９と同一のもの）に記憶されている会員コードを読み出し、併せて会員コード付与部３４３に供給する。会員コード付与部３４３は、予約情報に会員コードの情報を付与し、予約情報送信部３４４に供給する。予約情報送信部３４４は、会員コードが付与されている予約情報を、通信部１５９を制御して、予約管理サーバ１に送信する。
【０１１５】
報告情報受信部３４７は、通信部１５９を制御して、予約管理サーバ１より遊技台３のおよび駐車スペースの予約情報に基づいて送信されてくる遊技台３の予約の報告情報および駐車スペース利用フォーマットを取得し、報告情報より予約完了情報を抽出して予約完了情報記憶制御部３４６に供給すると共に、報告情報および駐車スペース利用フォーマットを報告情報出力部３４８に供給する。報告情報出力部３４８は、報告情報受信部３４７より供給された報告情報を出力部１５７に出力し、携帯電話機６を所有する遊技者に提示する。
【０１１６】
駐車スペース予約受付部３４９は、遊技台３の予約に伴う報告情報に伴って送信されてくる駐車スペース利用フォーマットに基づいて、駐車スペースの予約を受け付け、駐車スペースの予約が要求されると駐車スペース予約要求部３５０にその旨を通知する。駐車スペース予約要求部３５０は、予約管理サーバ１に対して駐車スペースの予約を要求する。尚、駐車スペースの予約についての報告情報は、上述した報告情報受信部３４７により受信され、遊技台３の予約と同様に、報告情報出力部３４８に提示される。
【０１１７】
次に、図２０を参照して、駐車場入退管理処理、および予約車両管理処理を実行するとき、駐車場管理サーバ９により実現される機能について説明する。
【０１１８】
駐車管理部３６１は、予約管理サーバ１と連携して、遊技台３の予約IDに対応付けて駐車スペースの予約処理を実行し、駐車スペースの予約情報を駐車場管理DB（データベース）１０に記憶させる。
【０１１９】
センサ監視部３６２は、駐車場１６のゲート１６ａ付近に設けられたセンサ１２により車両の入退場を監視し、監視結果である車両の入退場の情報を入退管理部３６３に供給する。入退管理部３６３は、センサ監視部３６２より供給される車両の入退場の情報に基づいて、駐車場１６に駐車中の車両の台数をカウントし、駐車場管理DB９に記憶させる。
【０１２０】
読取部１３は、例えば、画像読取装置や磁気読取装置より構成されており、例えば、上述した予約IDの２次元バーコードなどの画像として読み取る、または、会員カード１２１などに磁気的に記録された予約IDまたは会員コードなどと読み取り、読み取った予約IDまたは会員コードを、ゲート通過情報送信部３６４に供給する。
【０１２１】
また、画像データ取得部３６８は、カメラ１１により駐車場１６に進入する車両１５を撮像すると、撮像した画像よりナンバープレートの車両登録情報のみを抽出して、車両照合部３６９に供給すると共に、予約管理サーバ１に対して、遊技台３を予約する際に駐車スペースを予約した遊技者の予約IDおよび車両登録情報の一覧を要求する。
【０１２２】
車両照合部３６９は、撮像された車両登録情報と、予約管理サーバ１より供給された駐車スペースを予約した遊技者の車両登録情報の一覧とを照合し、一致する車両登録情報が検出された場合、その車両登録情報に基づいて予約IDを読み出し、ゲート通過情報送信部３６４に供給する。
【０１２３】
ゲート通過情報送信部３６４は、読取部１３または車両照合部３６９より供給される予約IDまたは会員コードをゲート通過情報として、予約管理サーバ１に送信する。上述した予約管理サーバ１のゲート通過情報取得部３０５は、このゲート通過情報を取得し、これに応じた照合結果が、照合結果送信部３０７より送信される。
【０１２４】
照合結果受信部３６５は、この予約管理サーバ１の照合結果送信部３０７より送信されてくる照合結果を受信し、ゲート通過情報と共に供給された予約IDまたは会員コードが、正規のものである場合、その旨を延長時間計算部３６６に通知する。
【０１２５】
延長時間計算部３６６は、照合結果受信部３６５より通知された情報が正規の予約IDである、または正規の遊技台３を予約した遊技者の会員コードである場合、駐車場管理DB９で管理されている入退管理情報に基づいて、駐車場１６の稼働率を考慮し、予約されている遊技台３を予約モードに設定しておくべき時間の延長時間を計算し、提示された予約IDまたは会員コードと共に延長時間送信部３６７に供給する。延長時間送信部３６７は、延長時間計算部３６６より予約IDまたは会員コードと共に供給された延長時間を予約管理サーバ１に送信する。
【０１２６】
次に、図２１のフローチャートを参照して、予約処理について説明する。
【０１２７】
ステップＳ７１において、遊技者が、予約しようとする遊技台３を決定し、対応する遊技台３と予約日を指定するように携帯電話機６の入力部１５６を操作されることにより、遊技台３を指定する予約情報の入力を受け付けると、その処理は、ステップＳ７２に進む。
【０１２８】
ステップＳ７２において、予約情報受付部３４１は、入力部１５６が操作されて、遊技者により指定された遊技台３の指定された予約日の予約を予約情報として受け付ける。会員コード読込部３４２は、予約情報受付部３４１より遊技者により指定された遊技台３の予約を受け付けた予約情報を取得すると、記憶部３４５に記憶されている会員コードを読み出し、併せて会員コード付与部３４３に供給する。会員コード付与部３４３は、予約情報に会員コードの情報を付与し、予約情報送信部３４４に供給する。予約情報送信部３４４は、会員コードが付与されている予約情報を、通信部１５９を制御して、予約管理サーバ１に送信する。
【０１２９】
ステップＳ８１において、予約情報受信部３０１は、通信部２９を制御して、携帯電話機６より会員コードと共に送信されてくる、予約する遊技台３を指定する予約情報を受信し、予約情報受付可否判断部３０２に供給する。予約情報受付可否判断部３０２は、内蔵するRTC３０２ａの時刻情報に基づいて、予約情報を受け付けるか否かを判断する。より具体的には、予約情報受信部３０１は、RTC３０２ａに問い合わせて、予約情報の予約日が翌日以降であるか否かを判断する。例えば、ステップＳ８１において、予約情報の予約日が翌日以降であった場合、その処理は、ステップＳ８２に進む。
【０１３０】
ステップＳ８２において、予約情報受付可否判断部３０２は、予約情報DB２にアクセスし、予約情報により指定されている遊技台３について予約状況情報を取得する。
【０１３１】
ステップＳ８３において、予約情報受付可否判断部３０２は、取得した予約状況情報に基づいて、予約情報により指定されている遊技台３が未予約であるか否かを判定する。例えば、未予約であると判定された場合、すなわち、予約情報による遊技台３の予約を受け付けると判断した場合、ステップＳ８４において、予約情報受付可否判断部３０２は、会員コードと共に予約情報を予約情報記憶制御部３０３に供給する。予約情報記憶制御部３
０３は、予約情報受付可否判断部３０２により予約が受け付けられた予約情報と会員コードに基づいて、予約情報を記憶させる。より具体的には、予約が指定された遊技台３を特定する遊技台識別コードと、予約を申し込んだ遊技者の会員コードとを予約IDに対応付けて記憶させる。さらに、予約情報記憶制御部３０３は、予約が完了した旨の報告情報を報告情報送信部３０４に供給する。
【０１３２】
ステップＳ８５において、報告情報送信部３０４は、通信部２９を制御して、予約情報を送信してきた携帯電話機６に対して、予約が完了したことを示す予約IDを含む報告情報、および、駐車スペース利用フォーマットを送信する。
【０１３３】
ステップＳ７３において、報告情報受信部３４７は、予約管理サーバ１より送信されてくる報告情報を報告情報出力部３４８に供給し、遊技者に提示させる。
【０１３４】
ステップＳ７４において、報告情報出力部３４８は、報告情報に駐車スペース利用フォーマットが添付されているか否かを判定する。すなわち、駐車スペース利用フォーマットは、予約が受け付けられたときのみ添付されてくるので、実質的に、予約が受け付けられたか否かが判定されることになる。ステップＳ７４において、例えば、ステップＳ８５の処理により、報告情報に駐車スペース利用フォーマットが付されている場合、ステップＳ７５において、予約完了情報記憶制御部３４６は、遊技台３の予約が完了したことを示す予約IDを記憶部３４５に記憶させる。
【０１３５】
ステップＳ７６において、報告情報受信部３４７は、添付されていた駐車スペース利用フォーマットを報告情報出力部３４８に供給し、遊技者に提示させる。
【０１３６】
ステップＳ７７において、駐車スペース予約受付部３４９は、駐車スペース利用フォーマットに所定の事項が入力されて、駐車スペースの利用が要求されているか否かを判定し、例えば、駐車スペースの予約が要求されている場合、ステップＳ７８において、駐車スペース予約要求部３５０に、必要な情報が入力された駐車スペース利用フォーマットを供給する。駐車スペース予約要求部３５０は、必要事項が入力された駐車スペース利用フォーマットを予約管理サーバ１に送信すると共に駐車スペースの予約を要求する。
【０１３７】
一方、ステップＳ７７において、駐車スペースの予約が要求されていないと判定された場合、ステップＳ８０において、駐車スペース予約受付部３４９は、駐車スペース予約要求部３５０に対して、予約管理サーバ１に駐車スペースを利用しない旨を通知させ、その処理は、終了する。
【０１３８】
ステップＳ８６において、駐車スペース予約受付部３１１は、携帯電話機６より駐車スペース利用フォーマットが送信され、駐車スペースの予約が要求されたか否かを判定する。例えば、ステップＳ７８の処理により、駐車スペース利用フォーマットが送信され、駐車スペースの予約が要求された場合、ステップＳ８７において、駐車場管理サーバ９に対して駐車スペース予約処理が実行される。
【０１３９】
ここで、図２２のフローチャートを参照して、駐車スペース予約処理について説明する。
【０１４０】
ステップＳ１１１において、駐車スペース予約受付部３１１は、予約情報DB８に問い合わせて、遊技台３を予約した遊技者の会員コードに基づいて、その会員コードに対応付けられて車両登録情報が登録されているか否かを判定する。例えば、会員コードに基づいて、車両登録情報が登録されていると判定された場合、ステップＳ１１２において、駐車場管理サーバ９に対して、遊技台３を予約した遊技者の会員コードと対応する車両登録情報と共に駐車スペースの予約を要求する。
【０１４１】
ステップＳ１３１において、駐車管理部３６１は、駐車スペースの予約要求に基づいて、駐車場管理DB１０を参照して、駐車スペースの予約状況を確認し、ステップＳ１３２において、駐車スペースに空きがあるか否かを判定する。ステップＳ１３２において、例えば、空きがあると判定された場合、ステップＳ１３３において、駐車管理部３６１は、駐車スペースの予約を受け付けて、その情報を駐車場管理DB１０に記録する。より具体的には、駐車管理部３６１は、駐車場管理DB１０の駐車スペースの予約として、遊技台３を予約した遊技者の会員コードと、その遊技者の車両登録情報とを記録して、駐車場管理DB１０を更新する。
【０１４２】
ステップＳ１３４において、駐車管理部３６１は、予約管理サーバ１に対して駐車スペースの予約が完了したことを通知する。
【０１４３】
ステップＳ１１３において、駐車スペース予約受付部３１１は、駐車場管理サーバ９からの通知を取得する。今の場合、駐車スペースの予約が完了したことを示す通知が取得される。
【０１４４】
一方、ステップＳ１３２において、空きがないと判定された場合、ステップＳ１３５において、駐車管理部３６１は、予約管理サーバ１に対して駐車スペースの空きがなく予約ができないことを通知する。
【０１４５】
従って、この場合、ステップＳ１１３においては、駐車スペースの予約ができなかったことを知らせる通知が取得される。
【０１４６】
また、ステップＳ１１１において、車両登録情報が登録されていないと判定された場合、ステップＳ１１４において、車両登録情報が登録されていないので、駐車スペースの予約ができないことが通知されてきたものとする。
【０１４７】
すなわち、駐車スペース予約処理により、車両登録情報があって、かつ、駐車スペースに空きがある場合、駐車スペースの予約がなされ、それ以外の場合、駐車スペースの予約ができなかったことが通知されることになる。
【０１４８】
ここで、図２１のフローチャートの説明に戻る。
【０１４９】
ステップＳ８８において、駐車スペース予約受付部３１１は、駐車スペース予約処理により得られる通知結果を駐車スペースの予約要求に対する報告結果として携帯電話機６に通知する。
【０１５０】
ステップＳ７９において、報告結果受信部２４７は、予約管理サーバ１からの駐車スペースの予約要求に対する報告結果を取得し、出力部に提示する。すなわち、以上の処理により、遊技者により指定された遊技台３が予約され、さらに駐車スペースの予約が要求された場合、車両登録情報があり、かつ、駐車スペースに空きがあるとき、駐車スペースが予約される。
【０１５１】
一方、ステップＳ７４において、駐車スペース利用フォーマットが付されていないと判定された場合、すなわち、遊技台３の予約ができないと通知された場合、その処理は、終了する。
【０１５２】
また、ステップＳ８３において、予約情報に基づいて、予約が希望されている遊技台３が予約済みであった場合、ステップＳ８９において、予約情報受付可否判断部３０２は、指定された遊技台３を予約している会員コードは、今現在遊技台３の予約を要求している会員コードであるか否か、すなわち、遊技台３の予約が完了した遊技者が再び同一の遊技台３を予約しているのか否かを判定し、遊技台３の予約が完了した遊技者が再び同一の遊技台３を予約していると判定した場合、その処理は、ステップＳ８５に進む。
【０１５３】
この処理は、上述した処理において、遊技台３は予約できたが、駐車スペースが予約できなかった遊技者に対して、再度駐車スペースを予約できるようにさせるためのものである。すなわち、ステップＳ７９の処理まで進んだ場合、遊技者は、所望とする遊技台３の予約を完了しているが、会員登録処理により車両登録情報を登録していなかったために駐車スペースが予約できなかったり、駐車スペースの空きがなかったために駐車スペースの予約ができない可能性がある。そこで、ステップＳ８９の処理により、遊技台３の予約が完了している遊技者は、会員登録処理を再度実行し、自らの車両登録情報を入力し直したり、所定の時間が経過した後、再び同一の遊技台３を指定して予約処理をすることにより、駐車スペースの予約を再度要求したり、取り消したりすることが可能となる。
【０１５４】
さらに、ステップ８９において、遊技台３の予約が完了した遊技者が再び同一の遊技台３を予約していないと判定された場合、ステップＳ９０において、予約情報受付可否判断部３０２は、指定されていた遊技台３が予約済みであったので予約を受け付けず、同様の理由により予約を受け付けない旨の報告情報を報告情報送信部３０４に供給する。結果として、報告情報送信部３０４は、通信部２９を制御して、予約情報を送信してきた携帯電話機６に対して、予約済みであったので予約を受け付けなかった旨の報告情報を送信する。
【０１５５】
さらに、ステップＳ８１において、予約情報の予約日が翌日以降ではなかった場合、ステップＳ９１において、予約情報受付可否判断部３０２は、RTC３０２ａに問い合わせて、今現在の時刻が開店時刻を過ぎているか否かを判定し、開店時刻を過ぎていない場合、すなわち、まだ、当日の予約が受け付けられる状態である場合、その処理は、ステップＳ８２に進む。
【０１５６】
一方、ステップＳ９１において、開店時刻を過ぎていると判定された場合、ステップＳ９２において、予約情報受付可否判断部３０２は、指定されていた予約日が受付時刻を過ぎているので予約を受け付けず、同様の理由により予約を受け付けない旨の報告情報を報告情報送信部３０４に供給する。結果として、報告情報送信部３０４は、通信部２９を制御して、予約情報を送信してきた携帯電話機６に対して、受付時刻が過ぎているので予約を受け付けなかった旨の報告情報を送信する。
【０１５７】
以上の処理により、遊技者は、携帯電話機６を利用して、指定する予約日の指定する遊技台３についての予約を実行することが可能となる。さらに、所望とする遊技台３の予約が可能となった場合、遊技店の駐車場１６における駐車スペースに空きがあり、かつ、遊技者の会員登録時に車両登録情報の登録があれば、駐車スペースを予約することが可能となる。また、仮に、車両登録情報の登録がない、または、駐車スペースの予約がいっぱいであったなどの理由により駐車スペースの予約ができないような場合でも、遊技台３の予約が完了していれば、再度同一の遊技台３の予約処理を実行することで、予約を取り消すことなく、再び駐車スペースのみの予約処理をすることが可能となるので、遊技台３の予約により得られる権利を消失させることなく、駐車スペースの予約や取り消しを自由に設定し直すことが可能となる。
【０１５８】
また、指定した遊技台３が予約済みであったり、予約の受付時刻を過ぎているような場合、予約が受け付けられないように処理されるので、１つの遊技台３に対して複数の予約が入ってしまうと言った、いわゆるダブルブッキングや、開店時刻が過ぎた後に予約を受け付けてしまうと言ったトラブルを抑制することが可能となる。
【０１５９】
尚、以上においては、予約の受付時刻を開店時刻とした場合について説明したが、開店時刻は常に一定なのではなく、入店が開始されたタイミングであればよいので、遊技店の入口の扉が開放されたタイミングまでを予約の受付可能時刻とするようにしてもよい。
【０１６０】
また、以上においては、携帯電話機６により遊技台３および駐車スペースの予約を設定する例について説明してきたが、当然のことながら携帯電話機６の会員カード１２１により、例えば、遊技店端末５で実行できるようにしてもよい。
【０１６１】
図２３は、携帯電話機６に代えて会員カード１２１を用いて、予約処理を実行するとき、遊技店端末５により実現される機能を示す機能ブロック図である。尚、図２３の機能ブロック図において、図１９で示される予約処理を実行するときの携帯電話機６の機能ブロック図と同一の機能については、同一の符号を付しており、その説明は適宜省略する。
【０１６２】
図２３において、図１９と異なるのは、会員コード読込部３４２、記憶部３４５、予約完了情報記憶制御部３４６、および報告情報受信部３４７に代えて、カードリーダ３９１、会員コード読込部３９２、および報告情報受信部３９３を設けている点である。カードリーダ３９１は、会員カード１２１に記録された会員コードを読み出し、会員コード読込部３９２に供給する。会員コード読込部３９２は、基本的には、会員コード読込部３４２と同様であるが、記憶部３４５から会員コードを読み込むのではなく、カードリーダ３９１より供給される会員コードを読み込む。
【０１６３】
報告情報受信部３９３は、報告情報受信部３４７と基本的には同様の機能を備えるものであるが、報告情報のうち予約完了情報を抽出せず、報告情報を単に報告情報出力部３４８に供給する。
【０１６４】
次に、図２４のフローチャートを参照して、遊技店端末５を用いて会員カード１２１による予約処理について説明する。尚、図２４のフローチャートにおけるステップＳ１５１，Ｓ１５３乃至Ｓ１５９の処理、および、ステップＳ１７１乃至Ｓ１８２の処理は、図２１のフローチャートにおけるステップＳ７１，Ｓ７３，Ｓ７４，Ｓ７６乃至Ｓ８０の処理、および、ステップＳ８１乃至Ｓ９２の処理と同様であるので、その説明は省略する。
【０１６５】
すなわち、処理が異なるのは、ステップＳ１５２の処理であり、予約情報受付部３４１は、入力部１５６が操作されて、遊技者により指定された遊技台３の指定された予約日の予約を予約情報として受け付ける。会員コード読込部３４２は、予約情報受付部３４１より遊技者により指定された遊技台３の予約を受け付けた予約情報を取得すると、カードリーダ３９１により会員カード１２１より読み出された会員コードを取得し、併せて会員コード付与部３４３に供給する。会員コード付与部３４３は、予約情報に会員コードの情報を付与し、予約情報送信部３４４に供給する。予約情報送信部３４４は、会員コードが付与されている予約情報を、通信部１５９を制御して、予約管理サーバ１に送信する。
【０１６６】
尚、会員カード１２１による予約処理においては、予約IDを記録するといったことをしないため、図２１におけるステップＳ７５の処理に対応する処理は、省略されている。もちろん、会員カード１２１をICカードのようなカードとすることにより同様の処理は可能である。
【０１６７】
次に、予約が受け付けられた遊技台３の動作モードを切り替える状態切替処理について説明する。
【０１６８】
図２５は、状態切替処理が実行される場合に予約管理サーバ１により実現される機能を説明する機能ブロック図である。
【０１６９】
スケジュール情報読込部４０１は、遊技店の開店日や開店時刻、または、遊技台３の動作モードのスケジュールの情報がデータベース化された状態で記憶されているスケジュール情報DB４０２にアクセスし、遊技店の当日のスケジュール情報を読み込み、予約情報読込部４０３に供給する。当日のスケジュールには、各遊技台３が予約モードとして設定される開始時刻と終了時刻の情報が含まれている。当日のスケジュールにおける予約モードが設定される終了時刻については、後述する予約車両管理処理により延長されることがある。
【０１７０】
予約情報読込部４０３は、スケジュール情報読込部４０１より遊技店の当日のスケジュール情報を受信すると、スケジュールに応じて予約情報DB４０４（図１の予約情報DB８と同一のもの）にアクセスして、予約が受け付けられている遊技台３の遊技台識別コードを読み込み切替指示情報送信部４０５に供給する。切替指示情報送信部４０５は、通信部２９を制御して、予約情報読込部４０３より供給された予約が受け付けられている遊技台３の遊技台識別コードに基づいて、対応する遊技台３の遊技台周辺端末４に対して、予約モードを設定する時間帯には遊技台３を遊技不能状態に状態を切り替える切替指示情報を送信する（予約モードに切り替えるように切替指示情報を送信する）。
【０１７１】
報告情報受信部４０６は、通信部２９を制御して、遊技台３より送信されてくる切替指示情報に基づいた切替完了を示す報告情報を受信し、切替が完了した遊技台３の遊技台識別コードの情報を含む報告情報をモード記憶制御部４０７に供給する。モード記憶制御部４０７は、報告情報受信部４０６より供給された報告情報に基づいて、遊技台識別コードに対応する遊技台３の動作モードが予約モードであるか、または通常モードであるかを、予約情報DB４０４に記憶させる。
【０１７２】
次に、図２６を参照して、状態切替処理が実行される場合に遊技台３の遊技台周辺端末４により実現される機能を説明する。
【０１７３】
切替指示情報受信部４２１は、通信部５４を制御して、予約管理サーバ１より供給されてくる切替指示情報を受信し、状態切替部４２２に供給する。状態切替部４２２は、切替指示情報に基づいて、遊技台３（遊技台周辺端末４と対になる遊技台３）の動作状態を切り替えて（動作モードを切り替えて）、切替後の動作状態（動作モード）の情報を状態提示部４２３に供給すると共に、切替指示情報に基づいて、切替が完了したことを示す報告情報を報告情報送信部４２４に供給する。
【０１７４】
状態提示部４２３は、状態切替部４２２より供給された動作状態（動作モード）の情報に基づいて、予約表示部７１を動作させる。すなわち、例えば、動作状態が予約モードである場合、状態提示部４２３は、予約表示部７１を図１０における予約表示部７１ａの状態に動作させ、逆に、予約モードが解除された状態の場合、予約表示部７１を図１０における予約表示部７１ｂの状態に動作させる。
【０１７５】
報告情報送信部４２４は、通信部５４を制御して、状態切替部４２２より供給されてきた切替指示情報に基づいて、動作の切替が完了したことを示す報告情報を予約管理サーバ１に送信する。
【０１７６】
次に、図２７のフローチャートを参照して、状態切替処理について説明する。
【０１７７】
ステップＳ２０１において、予約情報読込部４０３は、スケジュール情報読込部４０１によりスケジュール情報DB４０２より読み出されて供給されてくるその日のスケジュールを取得すると共に、予約情報DB４０４（図２６の予約情報DB２と同一のもの）にアクセスして、予約が受け付けられている遊技台３の遊技台識別コードを読み込み切替指示情報送信部４０５に供給する。
【０１７８】
ステップＳ２０２において、切替指示情報送信部４０５は、通信部２９を制御して、予約情報読込部４０３より供給された予約が受け付けられている遊技台３の遊技台識別コードと、その日のスケジュール（各遊技台３が予約モードとして設定される開始時刻と終了時刻の情報）とに基づいて、動作モードを切り替えさせる必要があるタイミングであるか否かを判定し、必要があると判定されるまでその処理を繰り返す。
【０１７９】
例えば、ステップＳ２０２において、動作モードを切り替える必要があるタイミングであると判定された場合、ステップＳ２０３において、対応する遊技台３の遊技台周辺端末４に対して遊技不能状態から遊技可能状態に状態を切り替えたり、遊技可能状態から遊技不能状態に切り替える切替指示情報を送信する（予約モードから通常モードに切り替える、または、通常モードから予約モードに切り替えるように切替指示情報を送信する）。例えば、予約モードに設定される開始時刻であれば、遊技可能状態から遊技不能状態に切り替えるように切替指示情報が送信され、予約モードに設定される終了時刻であれば、遊技不能状態から遊技可能状態に切り替えるように切替指示情報が送信されることになる。
【０１８０】
ステップＳ２１１において、切替指示情報受信部４２１は、通信部５４を制御して、予約管理サーバ１より供給されてくる切替指示情報を受信し、状態切替部４２２に供給する。状態切替部４２２は、切替指示情報に基づいて、遊技台３の動作状態を切り替えて（動作モードを切り替えて）、切替後の動作状態（動作モード）の情報を状態提示部４２３に供給すると共に、切替指示情報に基づいて、切替が完了したことを示す報告情報を報告情報送信部４２４に供給する。例えば、今現在の時刻が、予約モードへの設定開始時刻である場合、予約を受け付けた会員コードが提示される状態となるまで、遊技不能状態とする、予約モードへの切替指示情報であるので、状態切替部４２２は、遊技台３を予約を受け付けた会員コードが提示される状態となるまで、遊技不能状態とするように制御する。逆に、今現在の時刻が、予約モードの終了時刻である場合、遊技可能状態とする、通常モードへの切替指示情報であるので、状態切替部４２２は、遊技可能状態とするように制御する。
【０１８１】
ステップＳ２１２において、報告情報送信部４２４は、通信部５４を制御して、状態切替部４２２より供給されてきた切替指示情報に基づいて、動作の切替が完了したことを示す報告情報を予約管理サーバ１に送信する。このとき、状態提示部４２３は、状態切替部４２２より供給された動作状態（動作モード）の情報に基づいて、予約表示部７１を動作させる。すなわち、動作状態が予約モードへの切替指示情報である場合、状態提示部４２３は、予約表示部７１を図１０における予約表示部７１ａの状態に動作させ、逆に、動作状態が通常モードへの切替指示情報である場合、予約表示部７１を図１０における予約表示部７１ｂの状態に動作させる。
【０１８２】
ステップＳ２０４において、報告情報受信部４０６は、通信部２９を制御して、遊技台３の遊技台周辺端末４より送信されてくる切替指示情報に基づいた切替完了を示す報告情報を受信し、切替が完了した遊技台３の遊技台識別コードの情報を含む報告情報をモード記憶制御部４０７に供給する。モード記憶制御部４０７は、報告情報受信部４０６より供給された報告情報に基づいて、遊技台識別コードに対応する遊技台３の動作モードを、予約モードまたは通常モードであるものとして、予約情報DB４０４に記憶させる。
【０１８３】
以上の処理により、予約が受け付けられた遊技台３の遊技台周辺端末４は、予約モードが設定されるべき開始時刻になると、対応する遊技台３を予約モード（予約が受け付けられた会員コードが提示されるまで、遊技不能状態とするモード）に切り替えられた状態とすることが可能となり、さらに、予約表示部７１により開店直後に遊技店に入店した遊技者に対して、どの遊技台３が予約されているかを提示することが可能となる。また、予約モードに設定されるべき終了時刻になると来店した遊技者ならば誰でも遊技できる遊技可能状態に設定される。
【０１８４】
次に、予約が受け付けられた遊技台３を、予約した遊技者が、予約モードに設定されている遊技台３を遊技可能とするように遊技を受け付ける遊技受付処理について説明する。
【０１８５】
図２８は、遊技受付処理を実行するときに、遊技台３の遊技台周辺端末４により実現される機能を説明する機能ブロック図である。
【０１８６】
会員コード受信部４３１は、携帯電話機用会員コード受付部６３により携帯電話機６から読み出された会員コードを受信し、遊技台識別コード読込部４３２に供給する。遊技台識別コード読込部４３２は、遊技台識別コードを遊技台識別コード記憶部４３３より読み出し、会員コード受信部４３１より供給された会員コードと共に会員コード遊技台識別コード送信部４３４に供給する。会員コード遊技台識別コード送信部４３４は、通信部５４を制御して、遊技台識別コード読込部４３２より供給された会員コードと遊技台識別コードを予約管理サーバ１に送信する。
【０１８７】
次に、図２９を参照して、遊技受付処理を実行するときに、予約管理サーバ１により実現される機能を説明する
【０１８８】
遊技台識別コード会員コード受信部４５１は、通信部２９を制御して、遊技台３の遊技台周辺端末４より送信されてくる遊技台識別コードと会員コードを受信し、予約情報読込部４５２に供給する。予約情報読込部４５２は、遊技台識別コード会員コード受信部４５１より供給された遊技台識別コードに基づいて、対応する予約情報を予約情報DB４５７にアクセスして読み込み、照合部４５３に供給する。照合部４５３は、予約情報に含まれている予約を受け付けた会員コードと、遊技台３より送信されてきた会員コードが一致するか否かを照合し、照合結果を切替指示情報送信部４５４に供給する。切替指示情報送信部４５４は、通信部２９を制御して、照合結果に基づいて、切替指示情報を遊技台識別コードと会員コードを送信してきた遊技台３に送信する。例えば、照合結果が一致していた場合、切替指示情報送信部４５４は、予約モード、すなわち、遊技不能状態を解除して、遊技可能な状態とするように切替指示情報を生成して送信する。一方、照合結果が一致しなかった場合、既に、遊技不能状態であるので、その遊技不能状態を維持したままとするように切替指示情報が送信されない。
【０１８９】
報告情報受信部４５５は、通信部２９を制御して、遊技台３の遊技台周辺端末４より送信されてくる報告情報を受信し、モード記憶制御部４５６に供給する。モード記憶制御部４５６は、報告情報受信部４５５より供給される報告情報に基づいて、遊技台３の動作モードを予約情報DB４５７（予約情報DB８と同一のもの）に記憶させる。
【０１９０】
尚、遊技受付処理の際、切替指示情報に基づいて、動作する遊技台３の遊技台周辺端末４の機能については、図２６を参照して説明した機能と同一であるので、その説明は省略する。
【０１９１】
次に、図３０のフローチャートを参照して、遊技受付処理について説明する。
【０１９２】
ステップＳ２５１において、会員コード受信部４３１は、遊技者により、遊技台３の遊技台周辺端末４の携帯電話機用会員コード受付部６３に携帯電話機６がセットされ、携帯電話機用会員コード受付部６３により会員コードを読み取ると、その処理は、ステップＳ２５２に進む。
【０１９３】
ステップＳ２５２において、会員コード受信部４３１は、携帯電話機用会員コード受付部６３により携帯電話機６から読み出された会員コードを受信し、遊技台識別コード読込部４３２に供給する。遊技台識別コード読込部４３２は、遊技台識別コードを遊技台識別コード記憶部４３３より読み出し、会員コード受信部４３１より供給された会員コードと共に会員コード遊技台識別コード送信部４３４に供給する。会員コード遊技台識別コード送信部４３４は、通信部５４を制御して、遊技台識別コード読込部より供給された会員コードと遊技台識別コードを予約管理サーバ１に送信する。
【０１９４】
ステップＳ２３１において、遊技台識別コード会員コード受信部４５１は、通信部２９を制御して、遊技台３の遊技台周辺端末４より送信されてくる遊技台識別コードと会員コードを受信し、予約情報読込部４５２に供給する。予約情報読込部４５２は、遊技台識別コード会員コード受信部４５１より供給された遊技台識別コードに基づいて、対応する予約情報を予約情報DB４５７にアクセスして読み込み、照合部４５３に供給する。
【０１９５】
ステップＳ２３２において、照合部４５３は、予約情報に含まれている予約を受け付けた会員コードと、遊技台３の遊技台周辺端末４より送信されてきた会員コードとを照合し一致するか否かを判定する。例えば、ステップＳ２３２において、照合結果が一致すると判定された場合、ステップＳ２３３において、正規の予約を行った遊技者の携帯電話機６が遊技台３の携帯電話機用会員コード受付部６３にセットされたものとみなし、照合結果が一致したことを示す切替指示情報を切替指示情報送信部４５４に供給する。切替指示情報送信部４５４は、通信部２９を制御して、照合結果に基づいて、切替指示情報を遊技台識別コードと会員コードを送信してきた遊技台３の遊技台周辺端末４に送信する。例えば、照合結果が一致していた場合、切替指示情報送信部４５４は、予約モード（遊技不能状態）を解除して、遊技可能状態とするように切替指示情報を生成して送信する。
【０１９６】
ステップＳ２５３において、切替指示情報受信部４２１（図２６）は、予約管理サーバ１より送信されてくる切替指示情報を受信し、状態切替部４２２（図２６）に受信した切替指示情報を供給する。状態切替部４２２は、遊技可能状態となるように遊技台３を制御し、遊技不能状態（予約モード）が解除されたことを状態提示部４２３に通知すると共に、報告情報送信部４２４に通知する。このとき、状態提示部４２３は、予約表示部７１を制御して予約モードではない状態を遊技者に提示する。より具体的には、予約表示部７１は、例えば、図１０の予約表示部７１ｂのような状態とされる。
【０１９７】
ステップＳ２５４において、報告情報送信部４２４は、動作不能状態から動作可能状態に切替が完了したことを示す旨の報告情報を生成し、通信部５４を制御して、予約管理サーバ１に送信させる。
【０１９８】
ステップＳ２３４において、報告情報受信部４５５は、通信部２９を制御して、遊技台３に遊技台周辺端末４より送信されてくる報告情報を受信し、モード記憶制御部４５６に供給する。モード記憶制御部４５６は、報告情報受信部４５５より供給される報告情報に基づいて、遊技台３の動作モードを予約情報DB４５７に記憶させ、その処理は終了する。
【０１９９】
一方、ステップＳ２３２において、照合結果が一致しなかった場合、ステップＳ２３３，Ｓ２３４の処理がスキップされて、その処理は終了する。この場合、切替指示情報送信部４５４は、予約が受け付けられた会員コードではなかった旨を遊技台３の遊技台周辺端末４に通知し、遊技台３遊技台周辺端末４においては、遊技不能状態が維持されることになる。
【０２００】
以上の処理により、正規の予約処理を行った会員コードが読み取られると、予約処理により予約が受け付けられた遊技台３は、遊技台周辺端末４により遊技不能状態から遊技可能状態に状態が変更されることになるので、予約処理を行った遊技者は遊技店に入って、携帯電話機用会員受付部６３に正規の会員コードが記録された携帯電話機６を携帯電話機用会員受付部６３にセットするだけで、予約していた遊技台３にて遊技を開始することが可能となる。また、正規の予約処理がなされていない会員コードが記録されていない携帯電話機６が携帯電話機用会員受付部６３にセットされても、遊技台３は、遊技不能状態が維持されるままとなるので、予約処理を行っていない携帯電話機６を使うなどして、予約が受け付けられている遊技台３の不正な使用を防止することが可能となる。
【０２０１】
次に、図３１のフローチャートを参照して、駐車場入退管理処理について説明する。
【０２０２】
ステップＳ２７１において、入退管理部３６３は、センサ監視部３６２によるセンサ１２の検出結果に基づいて、車両が駐車場１６に入場したか否かを判定する。すなわち、センサ１２は、図３２で示されるように、駐車場１６の入退場ゲート１６ａに設けられており、検知部１２ａ，１２ｂが、車両１５の進行方向に対して平行に、地表面に配設されている。センサ１２は、検知部１２ａ，１２ｂが、反応したとき、その情報をセンサ監視部３６２に供給する。検知部１２ａ，１２ｂは、車両１５が通過すると反応する構成であるため、例えば、検知部１２ｂが反応した後、検知部１２ａが検知するとき、センサ監視部３６２は、駐車場１６に進入する車両１５が存在することを入退管理部３６３に通知し、逆に、検知部１２ａが反応した後、検知部１２ｂが検知するとき、駐車場１６から退場する車両１５が存在することを入退管理部３６３に通知する。
【０２０３】
ステップＳ２７１において、センサ監視部３６２により車両１５が駐車場１６に入場したことが検知されると、ステップＳ２７２において、入退管理部３６３は、駐車場１６に既に駐車している車両の台数のカウンタを１インクリメントして、駐車場管理DB１０を更新する。
【０２０４】
ステップＳ２７３において、入退管理部３６３は、センサ監視部３６２によるセンサ１２の検出結果に基づいて、車両が駐車場１６から退場したか否かを判定し、例えば、退場したと判定された場合、ステップＳ２７４において、入退管理部３６３は、駐車場１６に既に駐車している車両の台数のカウンタを１デクリメントして、駐車場管理DB１０を更新する。
【０２０５】
また、ステップＳ２７１において、車両１５が駐車場１６に入場していないと判定された場合、ステップＳ２７２の処理がスキップされ、ステップＳ２７３において、車両１５が駐車場１６から退場していないと判定された場合、ステップＳ２７４の処理がスキップされる。
【０２０６】
尚、図３２においては、駐車スペースｎ１乃至ｎ２０が設けられており、車両１５−１乃至１５−３が、駐車スペースｎ１乃至ｎ３にそれぞれ駐車しており、車両１５−４が、駐車場１６に入場、または退場していることが示されている。
【０２０７】
以上の駐車場入退管理処理により、駐車場管理サーバ９は、駐車場管理DB１０に駐車場１６の駐車スペースの使用状態を把握することができ、後述する延長時間の計算における駐車場１６の稼働率を求めることが可能となる。
【０２０８】
次に、図３３のフローチャートを参照して、遊技台３を予約し、かつ、駐車スペースを予約した遊技者が、自らの車両１５で駐車場１６に入場したとき、その遊技者が予約した遊技台３について予約モードとして設定される時間の延長処理を行う予約車両管理処理について説明する。まず、遊技者が、会員カード１２１に印刷された予約IDを示す２次元バーコードや、携帯電話機６により予約IDを２次元バーコードを駐車場１６のゲート１６ａに設けられた読取部１３に提示する場合の処理について説明する。
【０２０９】
ステップＳ３０１において、ゲート通過情報送信部３６４は、読取部１３に予約IDの提示があったか否かを判定し、読取部１３に対して予約IDが提示されるまで、その処理を繰り返す。すなわち、ゲート通過情報送信部３６４は、読取部１３により、会員カード１２１に印刷された予約IDを示す２次元バーコード、または、携帯電話機６のディスプレイなどに表示されるにより予約IDを２次元バーコードが読み出されるか否かを判定する。ステップＳ３０１において、例えば、会員カード１２１に印刷された予約IDを示す２次元バーコード、または、携帯電話機６により予約IDを２次元バーコードが提示された場合、その処理は、ステップＳ３０２に進む。
【０２１０】
ステップＳ３０２において、ゲート通過情報送信部３６４は、読取部１３に読み取られた２次元バーコードに対応する予約IDと共にゲート通過情報を予約管理サーバ１に送信する。
【０２１１】
ステップＳ３２１において、ゲート通過情報取得部３０５は、駐車場管理サーバ９より送信されてくるゲート通過情報を取得し、照合部３０６に供給する。
【０２１２】
ステップＳ３２２において、照合部３０６は、予約情報DB２にアクセスし、供給された予約IDを照合し、存在するか否かを検索する。
【０２１３】
ステップＳ３２３において、照合部３０６は、供給された予約IDが正規の遊技台３の予約に対応したものであるか否か、すなわち、駐車場１６に進入した車両１５の遊技者が、遊技店のいずれかの遊技台３を予約していたか否かを判定する。例えば、ステップＳ３２３において、正規の予約IDであると判定された場合、ステップＳ３２４において、照合部３０６は、遊技台３を予約した正規の予約IDであることを照合結果送信部３０７に供給する。照合結果送信部３０７は、照合部３０６より供給された正規の予約IDであることを示す情報を駐車場管理サーバ９に送信する。
【０２１４】
ステップＳ３０３において、照合結果受信部３６５は、予約管理サーバ１より送信されてくる照合結果を受信し、照合結果が正規の予約IDであることを示すものであるか否かを判定する。例えば、ステップＳ３２４の処理により送信されてきた照合結果が正規の予約IDを示すものであった場合、その処理は、ステップＳ３０４に進む。
【０２１５】
ステップＳ３０４において、延長時間計算部３６６は、駐車場管理DB１０にアクセスし、供給された照合結果の予約IDに対応する駐車スペースの予約がなされているか否かを判定し、例えば、駐車スペースが予約されていると判定された場合、ステップＳ３０５において、駐車場管理DB１０に記憶されている今現在の駐車車両台数を読み出し、予約IDに対応する遊技台３の予約モードに設定される時間の延長時間を計算する。
【０２１６】
より詳細には、延長時間計算部３６６は、以下の式（１）を演算することにより、延長時間ETを計算する。
【０２１７】
ET＝L×（１＋A）／（ｗ×（１−A×ａ））
・・・（１）
【０２１８】
ここで、ETは、予約モードが設定される時間の延長時間である。また、Ａは、駐車場１６の稼働率であり、駐車場１６に設定されている総駐車スペース数に対して、今現在駐車している車両台数の割合である。従って、図３２の場合、稼働率Ａは、（今現在駐車している車両台数）／（総駐車スペース数）＝４／２０（駐車スペースｎ１乃至ｎ２０は合計２０個であり、駐車場１６内に入場している車両台数は４台）ということになる。さらに、Lは、駐車場１６の最大移動距離であり、例えば、図３２のような駐車場１６の場合、距離Ｉ１乃至Ｉ３の総和である。また、ｗは、標準歩行速度を示している。また、ａは、係数であり、０＜ａ＜１で設定される。
【０２１９】
結果として、式（１）により計算される延長時間は、駐車場１６の稼働率Ａが高まり、駐車スペースを探すのに車両１５が駐車場１６内を走り回る必要に応じて、最大２倍までの走行距離を考慮し、さらに、駐車スペースに車両を停車させてから遊技店内の予約した遊技台３までを歩行するに際して、歩行速度が最低で標準歩行速度ｗに対して（１−ａ）倍の速度になる場合までを考慮して計算される駐車場１６内から遊技店内の予約した遊技台３までの移動時間であると言える。
【０２２０】
尚、図３２の例においては、最大移動距離Ｌについては、駐車スペースを探し回るのに走行した距離を基準に設定されており、実際に遊技者が駐車スペースから遊技店に向かう距離よりも十分に長い設定となるため、延長時間は十分に余裕をもって設定されると言えるが、それ以外の距離を設定するようにしても良い。また、当然のことながら、駐車スペースの数は、これに限るものではなく、それ以外の数であっても良いことはいうまでもない。
【０２２１】
ここで、図３３のフローチャートの説明に戻る。
【０２２２】
ステップＳ３０６において、延長時間計算部３６６は、上述した式（１）により計算される延長時間を、予約IDと共に延長時間送信部３６７に供給する。延長時間送信部３６７は、供給された延長時間を予約IDと共に、予約管理サーバ１に送信する。
【０２２３】
ステップＳ３２５において、延長時間受信部３０８は、駐車場管理サーバ９より延長時間が送信されてきたか否かを判定する。例えば、ステップＳ３０６の処理により延長時間が送信されてきた場合、ステップＳ３２６において、延長時間と予約IDを取得し、予約管理部３０９に供給する。
【０２２４】
ステップＳ３２７において、予約管理部３０９は、供給された予約IDに対応する予約がなされた遊技台３の予約モードの設定時間を、送信されてきた延長時間分だけ延長するように設定し、予約情報DB２（図２５のスケジュール情報DB４０２における遊技台３毎の予約モードに設定する時刻）を更新する。
【０２２５】
一方、ステップＳ３２３において、予約IDが正規のものではないと判定された場合、ステップＳ３２８において、照合部３０６は、予約IDが正規のものでないことを照合結果送信部３０７に供給する。照合結果送信部３０７は、予約IDが正規のものでないことを駐車場管理サーバ９に送信する。
【０２２６】
結果として、ステップＳ３０３においては、正規の予約IDではないと判定され、ステップＳ３０４乃至Ｓ３０７の処理がスキップされて、処理が終了する。
【０２２７】
また、ステップＳ３０４において、駐車スペースが予約されていない、すなわち、遊技台３の予約は正規になされていたが、そのときに駐車スペースの予約がなされていない場合、ステップＳ３０７において、延長時間計算部３６６は、駐車スペースの予約がなされていないことを延長時間送信部３６７に通知する。延長時間送信部３６７は、これを受けて、駐車スペースが存在しないので、延長時間が計算されないことを予約管理サーバ１に送信する。
【０２２８】
これを受けて、ステップＳ３２５においては、延長時間が送信されてこないことになるため、ステップＳ３２６，Ｓ３２７の処理がスキップされて、処理が終了することになる。
【０２２９】
以上の処理により、遊技台３を予約し、かつ、予め駐車スペースの利用を予約した遊技者については、遊技者の車両１５が、駐車場１６に到着した時点で予約モードが設定される時間が、駐車場１６の稼働率に応じて延長されることになるため、遊技店に車両１５で来店することにより、駐車場１６に入ってから意に反して遊技店内に移動するまでに時間が費やされることにより、結果として遊技台３の予約により得られるべき権利が消失してしまうことを抑制することが可能となる。
【０２３０】
以上においては、遊技者が、駐車場１６に車両で進入する際に、会員カード１２１や携帯電話機６により予約IDを示す２次元バーコードを、読取部１３に提示する例について説明してきたが、予め車両登録情報を会員コードと共に登録することにより、会員カード１２１や携帯電話機６などを提示しなくても、上述したように遊技台３の予約モードに設定される時間を延長させるようにすることができる。
【０２３１】
そこで、図３４のフローチャートを参照して、車両１５のナンバープレート１５ａまたは１５ｂを撮像することにより、予め登録されている車両登録情報と照合することで、予約モードに設定される時間を延長させる予約車両管理処理について説明する。尚、図３４のフローチャートにおけるステップＳ３３３乃至Ｓ３３８の処理、および、ステップＳ３４２乃至Ｓ３４９の処理は、図３３のフローチャートにおけるステップＳ３０２乃至Ｓ３０７の処理、および、ステップＳ３２１乃至Ｓ３２８の処理と同様であるので、その説明は、省略する。
【０２３２】
すなわち、図３４のフローチャートにおいて、図３３のフローチャートと異なる点は、ステップＳ３３１，Ｓ３４１における車両照合処理が加えられている点である。
【０２３３】
ここで、図３５のフローチャートを参照して、車両照合処理について説明する。
【０２３４】
ステップＳ３５１において、画像データ取得部３６８は、カメラ１１により駐車場１６に入場する車両１５のナンバープレートが撮像されたか否かを判定し、撮像されるまで、その処理を繰り返す。より詳細には、画像データ取得部３６８は、カメラ１１より供給されてくる画像データより車両と認識される画像が検出された場合、ナンバープレートの領域のみを抽出し、さらに、抽出されたナンバープレートの情報を文字として認識して、ナンバープレートに記録されている情報を取得する。
【０２３５】
ステップＳ３５１において、例えば、ナンバープレートが撮像されたと判定された場合、ステップＳ３５２において、画像データ取得部３６８は、取得されたナンバープレートの情報を車両照合部３６９に供給すると共に、予約管理サーバ１に対して、駐車スペースの利用が予約されている遊技者の会員登録情報における車両登録情報の一覧を要求する。
【０２３６】
ステップＳ３６１において、予約管理サーバ１の車両登録情報読出部３１０は、予約情報DBにアクセスし、遊技台３の予約と、駐車スペースの予約がなされている会員コードを読み出す。さらに、車両登録情報読出部３１０は、会員情報DB２にアクセスし、遊技台３の予約と、駐車スペースの予約がなされている会員コードに基づいて、その会員コードの登録情報から車両登録情報を検索し、読み出す。
【０２３７】
ステップＳ３６２において、車両登録情報読出部３１０は、検索された車両登録情報と、対応する遊技台３の予約IDの一覧を駐車場管理サーバ９に送信する。
【０２３８】
ステップＳ３５３において、車両照合部３６９は、予約管理サーバ１より供給されてくる遊技台３と共に駐車スペースを予約した予約IDと、対応する車両登録情報との一覧を取得する。
【０２３９】
ステップＳ３５４において、車両照合部３６９は、取得した遊技台３と共に駐車スペースを予約した予約IDと、対応する車両登録情報との一覧に対して、撮像された画像データにおけるナンバープレートを照合して、検索する。
【０２４０】
ステップＳ３５５において、車両照合部３６９は、遊技台３と共に駐車スペースを予約した予約IDと、対応する車両登録情報との一覧の中に、撮像された車両１５の画像データにおけるナンバープレートの車両登録情報と一致するものがあるか否かを判定し、例えば、一致するものがあると判定した場合、ステップＳ３５６において、一致した車両登録情報に対応する予約IDを取得し、ゲート通過情報送信部３６４に供給する。
【０２４１】
一方、ステップＳ３５５において、遊技台３と共に駐車スペースを予約した予約IDと、対応する車両登録情報との一覧の中に、撮像された車両１５の画像データにおけるナンバープレートの車両登録情報と一致するものがないと判定された場合、ステップＳ３５６の処理がスキップされる。
【０２４２】
このため、ステップＳ３３２（図３４）において、ゲート通過情報送信部３６４は、車両照合部３６９により予約IDが取得されたか否かを判定し、車両照合部３６９により予約IDが取得されるまで、その処理を繰り返す。例えば、ステップＳ３５６の処理により、予約IDが取得された場合、その処理は、ステップＳ３４２，Ｓ３３４に進み、それ以降の処理が実行される。
【０２４３】
尚、ステップＳ３５２，Ｓ３５３，Ｓ３６１、およびＳ３６２の処理は、一日に一回実行されればよい処理であるので、例えば、遊技店の開店前に一度だけ実行するようにしてもよい。また、ステップＳ３５１の処理は、駐車場１６に車両１５が進入したタイミングであればよいので、ナンバープレートが撮像されたか否かではなく、例えば、センサ１２により車両１５の入場が検出されたか否かに基づいて、入場が検出されたとき、カメラ１１により撮像されたナンバープレートを上述したように予め登録された車両登録情報と照合するようにさせてもよい。
【０２４４】
以上の処理により、遊技台３と共に駐車スペースを予約した遊技者の車両１５は、駐車場１６のゲート１６ａに入場するだけで、特に、会員カード１２１や携帯電話機６により予約IDを２次元バーコードなどで提示することなく、ナンバープレート１５ａまたは１５ｂにより予約IDが提示されることになる。結果として、遊技台３を予約し、かつ、駐車スペースを予約した遊技者は、会員カード１２１や携帯電話機６により予約IDを２次元バーコードなどで提示することなく、駐車場１６に到着した時点で予約モードが設定される時間が、駐車場１６の稼働率に応じて延長されることになるため、遊技店に車両１５により来店することにより、駐車場１６に入ってから意に反して遊技店内に移動するまでに時間が費やされることにより、遊技台３の予約により得られるべき権利が消失してしまうことを、より容易に抑制することが可能となる。
【０２４５】
本発明によれば、遊技店の外から遊技台を予約することが可能で、かつ、遊技店に遊技者が車両で来店しても、駐車場１６に入場できれば、遊技台３が予約モードに設定される時間が延長されるので、駐車場内で意に反して遊技台３に到着するまでに手間取るなどして、遅れるようなことがあっても、遊技台３の予約による権利が消失してしまうことを抑制させることが可能となる。
【０２４６】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行させることが可能な、例えば汎用のパーソナルコンピュータなどに記録媒体からインストールされる。
【０２４７】
プログラムが記録されている記録媒体は、図２，図３，図１１に示すように、コンピュータとは別に、ユーザにプログラムを提供するために配布される、プログラムが記録されている磁気ディスク４１，５６，１７１（フレキシブルディスクを含む）、光ディスク４２，５７，１７２（CD-ROM(Compact Disc-Read Only Memory)，DVD（Digital Versatile Disk）を含む）、光磁気ディスク４３，５８，１７３、もしくは半導体メモリ４４，５９，１７４などよりなるパッケージメディアにより構成されるだけでなく、コンピュータに予め組み込まれた状態でユーザに提供される、プログラムが記録されているROM２２，１５２や、記憶部２８，１５８に含まれるハードディスクなどで構成される。
【０２４８】
尚、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【０２４９】
また、本明細書において、システムとは、複数の装置により構成される装置全体を表すものである。
【図面の簡単な説明】
【０２５０】
【図１】本発明を適用した予約管理システムの一実施の形態の構成を示す図である。
【図２】図１のホールコンピュータの構成を示すブロック図である。
【図３】図１の遊技台周辺端末の構成を示すブロック図である。
【図４】図３の遊技台周辺端末のカード受付用会員受付部の構成例を示す図である。
【図５】図３の遊技台周辺端末のカード受付用会員受付部の構成例を示す図である。
【図６】図３の遊技台周辺端末のカード受付用会員受付部の構成例を示す図である。
【図７】図３の遊技台周辺端末の携帯電話機用会員受付部の構成例を示す図である。
【図８】図３の遊技台周辺端末の携帯電話機用会員受付部の構成例を示す図である。
【図９】図３の遊技台周辺端末の予約表示部の構成例を示す図である。
【図１０】図３の遊技台周辺端末の予約表示部の構成例を示す図である。
【図１１】図１の携帯電話機の構成を示す図である。
【図１２】会員登録フォーマット配信処理を実行するとき、予約管理サーバにより実現される機能を説明する機能ブロック図である。
【図１３】会員登録フォーマット配信処理を実行するとき、携帯電話機により実現される機能を説明する機能ブロック図である。
【図１４】会員登録フォーマット配信処理を説明するフローチャートである。
【図１５】会員登録処理を説明するフローチャートである。
【図１６】会員登録フォーマット配信処理を実行するとき、携帯電話機により実現される機能を説明するその他の機能ブロック図である。
【図１７】会員登録処理を説明するその他のフローチャートである。
【図１８】予約処理、状態切替処理、および遊技受付処理を実行するとき、予約管理サーバにより実現される機能を説明する機能ブロック図である。
【図１９】予約処理を実行するとき、携帯電話機により実現される機能を説明する機能ブロック図である。
【図２０】駐車場入退管理処理、および予約車両管理処理を実行するとき、駐車場管理サーバにより実現される機能を説明する機能ブロック図である。
【図２１】予約処理を説明するフローチャートである。
【図２２】駐車スペース予約処理を説明するフローチャートである。
【図２３】携帯電話機に代えて会員カードを用いて、予約処理を実行するとき、遊技店端末により実現される機能を説明する機能ブロック図である。
【図２４】遊技店端末を用いて会員カードによる予約処理を説明するフローチャートである。
【図２５】状態切替処理が実行される場合に予約管理サーバにより実現される機能を説明する機能ブロック図である。
【図２６】状態切替処理が実行される場合に遊技台の遊技台周辺端末により実現される機能を説明する機能ブロック図である。
【図２７】状態切替処理を説明するフローチャートである。
【図２８】遊技受付処理を実行するときに、遊技台３の遊技台周辺端末４により実現される機能を説明する機能ブロック図である。
【図２９】遊技受付処理を実行するときに、予約管理サーバ１により実現される機能を説明する機能ブロック図である。
【図３０】遊技受付処理を説明するフローチャートである。
【図３１】駐車場入退管理処理を説明するフローチャートである。
【図３２】駐車場の構成を説明する図である。
【図３３】予約車両管理処理を説明するフローチャートである。
【図３４】その他の予約車両管理処理を説明するフローチャートである。
【図３５】車両照合処理を説明するフローチャートである。
【符号の説明】
【０２５１】
１  ホールコンピュータ（予約管理サーバ）
３，３−１乃至３−ｎ  遊技台
４，４−１乃至４−ｎ  遊技台周辺端末
５，５−１乃至５−ｎ  遊技店端末
６  携帯電話機
８  予約情報データベース
９  駐車場管理サーバ
１０  駐車場管理データベース
１１  カメラ
１２  センサ
１３  読取部
１５  車両
１６  駐車場
５１  制御部
６２  カード用会員受付部
６３  携帯電話用会員受付部
７１  予約表示部
【図１】
2006280467.tif 000003
【図２】
2006280467.tif 000004
【図３】
2006280467.tif 000005
【図４】
2006280467.tif 000006
【図５】
2006280467.tif 000007
【図６】
2006280467.tif 000008
【図７】
2006280467.tif 000009
【図８】
2006280467.tif 000010
【図９】
2006280467.tif 000011
【図１０】
2006280467.tif 000012
【図１１】
2006280467.tif 000013
【図１２】
2006280467.tif 000014
【図１３】
2006280467.tif 000015
【図１４】
2006280467.tif 000016
【図１５】
2006280467.tif 000017
【図１６】
2006280467.tif 000018
【図１７】
2006280467.tif 000019
【図１８】
2006280467.tif 000020
【図１９】
2006280467.tif 000021
【図２０】
2006280467.tif 000022
【図２１】
2006280467.tif 000023
【図２２】
2006280467.tif 000024
【図２３】
2006280467.tif 000025
【図２４】
2006280467.tif 000026
【図２５】
2006280467.tif 000027
【図２６】
2006280467.tif 000028
【図２７】
2006280467.tif 000029
【図２８】
2006280467.tif 000030
【図２９】
2006280467.tif 000031
【図３０】
2006280467.tif 000032
【図３１】
2006280467.tif 000033
【図３２】
2006280467.tif 000034
【図３３】
2006280467.tif 000035
【図３４】
2006280467.tif 000036
【図３５】
2006280467.tif 000037